(57)【要約】【課題】【解決手段】本発明は、伝導性液体及び非伝導性液体が配置されるキャビティを含む第１プレート、第１プレート上に配置される共通電極、第１プレートの下に配置される個別電極、第１電極上に配置される第２プレート及び第２電極の下に配置される第３プレートを含む液体レンズを含むカメラモジュールを提供する。【選択図】  図２
2020505655.tif 000002
【特許請求の範囲】
【請求項１】
伝導性液体及び非伝導性液体が配置されるキャビティを含む第１プレート、
前記第１プレート上に配置される共通電極、
前記第１プレートの下に配置される個別電極、
前記第１電極上に配置される第２プレート、及び
前記第２電極の下に配置される第３プレートを含む液体レンズと、
前記液体レンズ及び固体レンズを収容するレンズホルダーと、
前記レンズホルダーの下に配置され、イメージセンサーが配置されるセンサー基板と、
前記センサー基板上に配置され、前記共通電極及び個別電極に印加される電圧を制御する制御部と、
前記個別電極又は共通電極と前記センサー基板を電気的に連結する連結部と、
前記連結部に配置される温度感知センサーとを含み、
前記レンズホルダーは前記温度感知センサーが配置される溝を含む、カメラモジュール。
【請求項２】
前記液体レンズは、前記伝導性液体及び非伝導性液体が配置されるレンズ領域と前記レンズ領域を取り囲むリブ領域とを含み、
前記温度感知センサーは前記リブ領域の上部又は下部に配置される、請求項１に記載のカメラモジュール。
【請求項３】
前記連結部は、
前記液体レンズに連結される第１端子部と、
前記センサー基板に連結される第２端子部とを含み、
前記第２端子部は、前記液体レンズに電気的に連結される電圧供給端子及び前記温度感知センサーに電気的に連結されるセンサー端子を含み、
前記センサー基板は、前記電圧供給端子に連結される第１センサー端子及び前記温度感知センサーに連結される第２センサー端子を含む、請求項１に記載のカメラモジュール。
【請求項４】
前記連結部は、
前記複数の個別電極のそれぞれに駆動電圧を伝達するための第１フレキシブルプリント回路基板と、
前記共通電極をグラウンド電圧に連結するための第２フレキシブルプリント回路基板とを含み、
前記第１フレキシブルプリント回路基板と前記第２フレキシブルプリント回路基板は前記レンズ領域の両側に位置する、請求項１に記載のカメラモジュール。
【請求項５】
前記連結部は前記温度センサーから出力された前記温度変化を伝達し、前記温度センサーの駆動電圧及び活性化信号を伝達する、請求項４に記載のカメラモジュール。
【請求項６】
前記温度センサーは前記温度変化を１２ビットデジタル信号として出力する、請求項１に記載のカメラモジュール。
【請求項７】
前記制御部は、オプティカルイメージスタビライゼーション（ＯＩＳ）のための補償のために、前記駆動電圧を前記複数の個別電極ごとに違って決定することができる、請求項１に記載のカメラモジュール。
【請求項８】
前記カメラモジュールの動きを感知し、前記動きに対応する感知信号を出力するジャイロ（Ｇｙｒｏ）センサーをさらに含み、
前記制御部は前記感知信号と前記温度変化に対応して前記駆動電圧のレベルを決定する、請求項１に記載のカメラモジュール。
【請求項９】
前記温度変化によるジオプター（ｄｉｏｐｔｒｅ、ｄｉｏｐｔｅｒ）の変化量を記憶する記憶部をさらに含み、
前記制御部は前記記憶部から前記温度変化に対応する前記ジオプター（ｄｉｏｐｔｒｅ、ｄｉｏｐｔｅｒ）の変化量を認知する、請求項１に記載のカメラモジュール。
【請求項１０】
２種の液体が形成する界面を調整するために１個の共通電極及び４個の個別電極を含む液体レンズを含むカメラモジュールであって、
前記液体レンズの温度変化を感知する段階と、
前記温度変化に対応するジオプター（ｄｉｏｐｔｒｅ、ｄｉｏｐｔｅｒ）の変化量を決定する段階と、
前記ジオプターの変化量に対応して前記４個の個別電極に供給される駆動電圧を調整する段階とを含む、液体レンズの制御方法。
【発明の詳細な説明】
【技術分野】
【０００１】
本発明は液体レンズ及びこれを含むカメラモジュール及び光学機器に関する。より具体的に、本発明は電気エネルギーを用いて焦点距離を調整することができる液体レンズ及びこれを含むカメラモジュールに関する。
【背景技術】
【０００２】
携帯用装置の使用者は、高解像度を有しながらも大きさが小さくて多様な撮影機能（光学ズーム機能（ｚｏｏｍ−ｉｎ／ｚｏｏｍ−ｏｕｔ）、オートフォーカシング（Ａｕｔｏ−Ｆｏｃｕｓｉｎｇ、ＡＦ）機能、手ぶれ補正又はオプティカルイメージスタビライゼーション（Ｏｐｔｉｃａｌ  Ｉｍａｇｅ  Ｓｔａｂｉｌｉｚｅｒ、ＯＩＳ）機能など）を有する光学機器を望んでいる。このような撮影機能は複数のレンズを組み合わせて直接レンズを動かす方法によって具現することができるが、レンズの数を増加させる場合、光学機器の大きさが大きくなることがある。オートフォーカスと手ぶれ補正の機能は、レンズホルダーに固定されて光軸が整列された複数のレンズモジュールが、光軸方向又は光軸の直角方向に移動するかチルティング（Ｔｉｌｔｉｎｇ）することによってなされ、レンズモジュールを駆動させるために別途のレンズ駆動装置を使う。しかし、レンズ駆動装置は電力消耗が高く、これを保護するために、カメラモジュールとは別にカバーガラスを付け加えなければならないから、総厚さが厚くなる。したがって、両液体間の界面の曲率を電気的に調節してオートフォーカスと手ぶれ補正の機能を行う液体レンズに対する研究が行われている。
【発明の概要】
【発明が解決しようとする課題】
【０００３】
本発明は電気エネルギーによって２種の液体の間に位置する界面の位置を調整することができるレンズを含むカメラモジュールにおいてレンズに含まれた２種の液体をハウジングすることができる構造物の温度によって発生する界面の変形によるジオプター（ｄｉｏｐｔｒｅ、ｄｉｏｐｔｅｒ）の変化を補償することができるレンズの駆動回路及びレンズ制御方法を提供することができる。
【０００４】
また、本発明は供給電圧によってレンズに含まれた２種の液体が形成する界面の曲率及び偏りの程度などが調整される液体レンズが温度変化による熱膨張率によってレンズの解像力（ｒｅｓｏｌｕｔｉｏｎ）の低くなる点を克服することができる液体レンズを含むレンズアセンブリー及びカメラモジュールを提供することができる。
【０００５】
また、本発明は液体レンズの２種の液体が含まれた中空に隣接した領域に温度センサーを含む液体レンズ及び液体レンズを含むレンズアセンブリー及びカメラモジュールを提供することができる。
【０００６】
また、本発明は液体レンズの２種の液体の温度変化を感知し、温度によるジオプターの変化を補償することができる電極の構造を含む液体レンズ及び液体レンズを含むレンズアセンブリー及びカメラモジュールを提供することができる。
【０００７】
また、本発明はカメラモジュールの液体レンズ又は液体レンズを含むレンズアセンブリーからフィードバックされる温度変化によって補償しなければならないジオプター（ｄｉｏｐｔｒｅ、ｄｉｏｐｔｅｒ）の変化に対応することができる駆動電圧を出力する制御回路又は駆動回路を提供することができる。
【０００８】
また、本発明はカメラモジュールの液体レンズの内部に含まれた液体の温度変化を直接感知することができる電極の構造に対応して温度変化によって補償しなければならないジオプター（ｄｉｏｐｔｒｅ、ｄｉｏｐｔｅｒ）の変化をより正確に認知することができる駆動電圧を出力することができるカメラモジュールを提供することができる。
【０００９】
本発明で達成しようとする技術的課題は以上で言及した技術的課題に制限されず、言及しなかった他の技術的課題は下記の記載から実施例が属する技術分野で通常の知識を有する者に明らかに理解可能であろう。
【課題を解決するための手段】
【００１０】
本発明の一実施例によるカメラモジュールは、伝導性液体及び非伝導性液体が配置されるキャビティを含む第１プレート、前記第１プレート上に配置される共通電極、前記第１プレートの下に配置される個別電極、前記第１電極上に配置される第２プレート、及び前記第２電極の下に配置される第３プレートを含む液体レンズと、前記液体レンズ及び固体レンズを収容するレンズホルダーと、前記レンズホルダーの下に配置され、イメージセンサーが配置されるセンサー基板と、前記センサー基板上に配置され、前記共通電極及び個別電極に印加される電圧を制御する制御部と、前記個別電極又は共通電極と前記センサー基板を電気的に連結する連結部と、前記連結部に配置される温度感知センサーとを含み、前記レンズホルダーは前記温度感知センサーが配置される溝を含むことができる。
【００１１】
また、前記液体レンズは、前記伝導性液体及び非伝導性液体が配置されるレンズ領域と前記レンズ領域を取り囲むリブ領域とを含み、前記温度感知センサーは前記リブ領域の上部又は下部に配置されることができる。
【００１２】
また、前記連結部は、前記液体レンズに連結される第１端子部と、前記センサー基板に連結される第２端子部とを含み、前記第２端子部は、前記液体レンズに電気的に連結される電圧供給端子及び前記温度感知センサーに電気的に連結されるセンサー端子を含み、前記センサー基板は、前記電圧供給端子に連結される第１センサー端子及び前記温度感知センサーに連結される第２センサー端子を含むことができる。
【００１３】
また、前記連結部は、前記複数の個別電極のそれぞれに駆動電圧を伝達するための第１フレキシブルプリント回路基板と、前記共通電極をグラウンド電圧に連結するための第２フレキシブルプリント回路基板とを含み、前記第１フレキシブルプリント回路基板と前記第２フレキシブルプリント回路基板は前記レンズ領域の両側に位置することができる。
【００１４】
また、前記連結部は前記温度センサーから出力された前記温度変化を伝達し、前記温度センサーの駆動電圧及び活性化信号を伝達することができる。
【００１５】
また、前記温度センサーは前記温度変化を１２ビットデジタル信号として出力することができる。
【００１６】
また、前記制御部は、オプティカルイメージスタビライゼーション（ＯＩＳ）のための補償のために、前記駆動電圧を前記複数の個別電極ごとに違って決定することができる。
【００１７】
また、カメラモジュールは、前記カメラモジュールの動きを感知し、前記動きに対応する感知信号を出力するジャイロ（Ｇｙｒｏ）センサーをさらに含み、前記制御部は前記感知信号と前記温度変化に対応して前記駆動電圧のレベルを決定することができる。
【００１８】
また、カメラモジュールは、前記温度変化によるジオプター（ｄｉｏｐｔｒｅ、ｄｉｏｐｔｅｒ）の変化量を記憶する記憶部をさらに含み、前記制御部は前記記憶部から前記温度変化に対応する前記ジオプター（ｄｉｏｐｔｒｅ、ｄｉｏｐｔｅｒ）の変化量を認知することができる。
【００１９】
本発明の他の実施例による液体レンズの制御方法は、２種の液体が形成する界面を調整するために１個の共通電極及び４個の個別電極を含む液体レンズを含むカメラモジュールであって、前記液体レンズの温度変化を感知する段階と、前記温度変化に対応するジオプター（ｄｉｏｐｔｒｅ、ｄｉｏｐｔｅｒ）の変化量を決定する段階と、前記ジオプターの変化量に対応して前記４個の個別電極に供給される駆動電圧を調整する段階とを含むことができる。
【００２０】
本発明の他の実施例による光学機器は、ハウジングと、前記ハウジングに配置され、映像を出力することができるディスプレイ部と、前記ハウジングに配置され、映像を撮像することができるカメラモジュールとを含み、前記カメラモジュールは、伝導性液体及び非伝導性液体が配置されるキャビティを含む第１プレート、前記第１プレート上に配置される共通電極、前記第１プレートの下に配置される個別電極、前記第１電極上に配置される第２プレート及び前記第２電極の下に配置される第３プレートを含む液体レンズと、前記液体レンズ及び固体レンズを収容するレンズホルダーと、前記レンズホルダーの下に配置され、イメージセンサーが配置されるセンサー基板と、前記センサー基板上に配置され、前記共通電極及び個別電極に印加される電圧を制御する制御部と、前記個別電極又は共通電極と前記センサー基板を電気的に連結する連結部と、前記連結部に配置される温度感知センサーとを含み、前記レンズホルダーは前記温度感知センサーが配置される溝を含むことができる。
【００２１】
本発明の他の実施例によるカメラモジュールは、伝導性液体及び非伝導性液体が配置されるキャビティを含む第１プレート、前記第１プレート上に配置される共通電極、前記第１プレートの下に配置される個別電極、前記共通電極上に配置される第２プレート及び前記個別電極の下に配置される第３プレートを含む液体レンズと、前記液体レンズ及び固体レンズを収容するレンズホルダーと、前記レンズホルダーの下に配置され、イメージセンサーが配置されるセンサー基板と、前記センサー基板上に配置され、前記共通電極及び複数の個別電極に印加される電圧を制御する制御部と、前記個別電極又は共通電極と前記センサー基板を電気的に連結する連結部とを含み、前記制御部は前記液体レンズの前記共通電極の抵抗変化を感知し、前記共通電極と複数の個別電極の間に供給される駆動電圧を制御することができる。
【００２２】
また、前記連結部は前記共通電極に電気的に連結される少なくとも二つの端子を含み、前記少なくとも二つの端子の一つは前記共通電極との複数のコンタクト領域を有し、他の一つの端子は前記共通電極との少なくとも１個のコンタクト領域を有し、前記共通電極の抵抗変化は前記少なくとも二つの端子を介して感知することができる。
【００２３】
また、前記制御部は、前記液体レンズの温度が常温から特定の温度だけ上がったとき、前記駆動電圧を減少させることができる。
【００２４】
また、前記共通電極の抵抗変化の感知は、前記駆動電圧が前記共通電極に印加されないようにした状態で、前記共通電極の抵抗変化を測定することができる。
【００２５】
また、前記抵抗変化は０より大きくて１０より小さいマイクロオーム（μΩ）又は０より大きくて１０より小さいミリオーム（ｍΩ）の範囲で発生し、前記抵抗変化を感知するための電圧は３〜５Ｖ以下のレベルであってもよい。
【００２６】
また、前記一つの端子は前記共通電極との３個のコンタクト領域を有し、他の一つの端子は前記共通電極とｍｐ１個のコンタクト領域を有することができる。
【００２７】
また、前記共通電極は前記他の一つの端子の前記１個のコンタクト領域に隣接して配置されるスリットパターンを含み、前記スリットパターンは前記一つの端子の前記複数のコンタクト領域の１個のコンタクト領域に隣接して配置できる。
【００２８】
本発明の他の実施例による液体レンズは、共通電極及び複数の個別電極を含む液体レンズであって、前記共通電極上には、前記共通電極と複数のコンタクト領域を形成する第１端子と、前記共通電極と１個のコンタクト領域を形成する第２端子とを含み、前記共通電極は、前記第２端子とコンタクトする前記１個のコンタクト領域に隣接して配置されるスリットパターンを含むことができる。
【００２９】
また、前記共通電極は、前記複数のコンタクト領域の二つのコンタクト領域に隣接して配置されるスリット（溝）パターンを含むことができる。
【００３０】
前記本発明の様態は本発明の好適な実施例の一部に過ぎず、本発明の技術的特徴が反映された多様な実施例が当該技術分野の通常的な知識を有する者によって以下で詳述する本発明の詳細な説明に基づいて導出されて理解されることができる。
【発明の効果】
【００３１】
本発明による装置による効果について説明すれば次のようである。
【００３２】
本発明はカメラモジュール内の液体レンズの温度変化を感知することができる別途の温度センサーを備えなくても、液体レンズの温度変化によるジオプター変化を補償することができる制御回路及び制御方法を提供することができる。
【００３３】
また、本発明は相異なる２種の液体が形成した界面によって焦点距離を調整することができる液体レンズにおいて温度によって変形可能な界面の曲率と形状を補償して液体レンズを含む複数のレンズから構成されたレンズアセンブリーにおいて温度による歪み係数を減らすことができ、歪み補正（ｄｉｓｔｏｒｔｉｏｎ  ｃｏｒｒｅｃｔｉｏｎ）に対する負担を減らすことができるカメラモジュールを提供することができる。
【００３４】
また、本発明は液体レンズを含む複数のレンズから構成されたレンズアセンブリーにおいて温度による歪み係数を減らすことができるので、カメラモジュールの自動焦点（Ａｕｔｏ  Ｆｏｃｕｓ、ＡＦ）及びオプティカルイメージスタビライゼーション（Ｏｐｔｉｃａｌ  Ｉｍａｇｅ  Ｓｔａｂｉｌｉｚｅｒ、ＯＩＳ）の性能を向上させることができる。
【００３５】
本発明で得られる効果は以上で言及した効果に制限されず、言及しなかった他の効果は以下の記載から本発明が属する分野で通常の知識を有する者に明らかに理解可能であろう。
【図面の簡単な説明】
【００３６】
【図１】カメラモジュールを説明する。
【図２】液体レンズを含むレンズアセンブリーを説明する。
【図３ａ】液体レンズを説明する。
【図３ｂ】液体レンズを説明する。
【図４】液体レンズの構造を説明する。
【図５ａ】温度変化によって液体レンズにおいてジオプター（ｄｉｏｐｔｒｅ、ｄｉｏｐｔｅｒ）が変わる理由を説明する。
【図５ｂ】温度変化によって液体レンズにおいてジオプター（ｄｉｏｐｔｒｅ、ｄｉｏｐｔｅｒ）が変わる理由を説明する。
【図６ａ】温度変化による液体レンズのジオプター（ｄｉｏｐｔｒｅ、ｄｉｏｐｔｅｒ）変化量を説明する。
【図６ｂ】温度変化による液体レンズのジオプター（ｄｉｏｐｔｒｅ、ｄｉｏｐｔｅｒ）変化量を説明する。
【図７ａ】温度変化による液体レンズの空間周波数応答の変化を測定する方法を説明する。
【図７ｂ】温度変化による液体レンズの空間周波数応答の変化を測定する方法を説明する。
【図８ａ】温度変化による液体レンズの空間周波数応答の変化を説明する。
【図８ｂ】温度変化による液体レンズの空間周波数応答の変化を説明する。
【図９】温度変化による液体レンズの補償値決定を説明する。
【図１０】温度変化によるジオプターの変化を補償するカメラモジュールを説明する。
【図１１】カメラモジュールを説明する。
【図１２】液体レンズに配置された温度センサーの第１例を説明する。
【図１３】図１２で説明した温度センサーと連動する制御回路を説明する。
【図１４】液体レンズの制御方法を説明する。
【図１５ａ】液体レンズ内の温度を測定するカメラモジュール内の温度センサーの第２例を説明する。
【図１５ｂ】液体レンズ内の温度を測定するカメラモジュール内の温度センサーの第２例を説明する。
【図１５ｃ】液体レンズ内の温度を測定するカメラモジュール内の温度センサーの第２例を説明する。
【図１６ａ】液体レンズモジュールの第１例を説明する。
【図１６ｂ】液体レンズモジュールの第１例を説明する。
【図１６ｃ】液体レンズモジュールの第１例を説明する。
【図１７ａ】液体レンズモジュールの第２例を説明する。
【図１７ｂ】液体レンズモジュールの第２例を説明する。
【図１７ｃ】液体レンズモジュールの第２例を説明する。
【発明を実施するための形態】
【００３７】
以下、添付図面に基づいて実施例を詳細に説明する。実施例は多様な変更を加えることができ、さまざまな形態を有することができるが、特定の実施例を図面に例示し本文に詳細に説明しようとする。しかし、これは実施例を特定の開示形態に限定しようとするものではなく、実施例の思想及び技術範囲に含まれる全ての変更、均等物乃至代替物を含むものに理解されなければならない。
【００３８】
“第１”、“第２”などの用語は多様な構成要素を説明するのに使えるが、前記構成要素は前記用語によって限定されてはいけない。前記用語は一構成要素を他の構成要素から区別する目的のみで使われる。また、実施例の構成及び作用を考慮して特別に定義された用語は実施例を説明するためのものであるだけ、実施例の範囲を限定するものではない。
【００３９】
実施例の説明において、各要素（ｅｌｅｍｅｎｔ）の“上又は下（ｏｎ ｏｒ ｕｎｄｅｒ）”に形成されるものとして記載される場合、上又は下（ｏｎ ｏｒ ｕｎｄｅｒ）は二つの要素（ｅｌｅｍｅｎｔ）が互いに直接（ｄｉｒｅｃｔｌｙ）接触するかあるいは一つ以上の他の要素（ｅｌｅｍｅｎｔ）が前記二つの要素（ｅｌｅｍｅｎｔ）の間に配置されて（ｉｎｄｉｒｅｃｔｌｙ）形成されるものを全て含む。また“上又は下（ｏｎ ｏｒ ｕｎｄｅｒ）”と表現される場合、１個の要素（ｅｌｅｍｅｎｔ）を基準に上方だけでなく下方の意味も含むことができる。
【００４０】
また、以下に使われる“上／上部／上の”及び“下／下部／下の”などの関係的用語は、そのような実体又は要素間のある物理的又は論理的関係又は手順を必ず要求するか内包しなく、ある１個の実体又は要素を他の実体又は要素と区別するために用いることもできる。
【００４１】
図１はカメラ装置の例を説明する。
【００４２】
図示のように、カメラモジュールは、レンズアセンブリー２２及びイメージセンサーを含むことができる。レンズアセンブリー２２は印加される電圧に対応して焦点距離が調整される液体レンズを含むことができる。カメラモジュールは、共通端子と複数の個別端子の間に印加される駆動電圧に対応して焦点距離が調整される第１レンズを含めた複数のレンズを含むレンズアセンブリー２２、第１レンズに駆動電圧を供給するための制御回路２４、及びレンズアセンブリー２２に整列され、レンズアセンブリー２２を介して伝達される光を電気信号に変換するイメージセンサー２６を含むことができる。
【００４３】
図１を参照すると、カメラモジュールは、単一プリント基板（ＰＣＢ）上に形成された複数の回路２４、２６と複数のレンズを含むレンズアセンブリー２２を含むことができるが、これは一例に過ぎないだけ、発明の範囲を限定しない。制御回路２４の構成はカメラモジュールに要求される仕様によって違うように設計されることができる。特に、液体レンズアセンブリー２８に印加される電圧の大きさを減らす場合、制御回路２４は単一チップ（ｓｉｎｇｌｅ  ｃｈｉｐ）から具現することができる。これにより、携帯用装置に搭載されるカメラモジュールの大きさをもっと減らすことができる。
【００４４】
図２を参照すると、図示のように、レンズアセンブリー２２は、第１レンズ部１００、第２レンズ部２００、液体レンズ部３００、レンズホルダー４００及び連結部５００を含むことができる。連結部５００はイメージセンサーと液体レンズを電気的に連結し、後述する基板、ワイヤ又は電線などを含むことができる。図示のレンズアセンブリー２２の構造は一例に過ぎず、カメラモジュールに要求される仕様によってレンズアセンブリー２２の構造は変わることができる。例えば、図示の例では液体レンズ部３００が第１レンズ部１００と第２レンズ部１００の間に位置しているが、他の例では液体レンズ部３００が第１レンズ部１００より上部（前面）に位置することもでき、第１レンズ部１００又は第２レンズ部２００の一つは省略されることもできる。制御回路２４の構成はカメラ装置に要求される仕様によって違って設計できる。特に、レンズアセンブリー２２に印加される動作電圧の大きさを減らす場合、制御回路２４は単一チップ（ｓｉｎｇｌｅ  ｃｈｉｐ）で具現することができる。これにより、携帯用装置に搭載されるカメラ装置の大きさをもっと減らすことができる。
【００４５】
図２はカメラ装置に含まれたレンズアセンブリー２２の例を説明する。
【００４６】
図示のように、レンズアセンブリー２２は、第１レンズ部１００、第２レンズ部２００、液体レンズ部３００、レンズホルダー４００及び連結部５００を含むことができる。連結部５００はイメージセンサーと液体レンズを電気的に連結し、後述する基板、ワイヤ又は電線などを含むことができる。図示のレンズアセンブリー２２の構造は一例に過ぎず、カメラモジュールに要求される仕様によってレンズアセンブリー２２の構造は変わることができる。例えば、図示の例では液体レンズ部３００が第１レンズ部１００と第２レンズ部２００の間に位置しているが、他の例では液体レンズ部３００が第１レンズ部１００より上部（前面）に位置することもでき、第１レンズ部１００又は第２レンズ部２００の一つは省略されることもできる。
【００４７】
図２を参照すると、第１レンズ部１００はレンズアセンブリー２２の前方に配置され、レンズアセンブリーの外部から光が入射する部位である。第１レンズ部１００は少なくとも１個のレンズから備えられることができ、あるいは２個以上の複数のレンズが中心軸ＰＬを基準に整列されて光学系を形成することもできる。
【００４８】
第１レンズ部１００及び第２レンズ部２００はレンズホルダー４００に装着されることができる。ここで、レンズホルダー４００には貫通孔が形成され、貫通孔に第１レンズ部１００及び第２レンズ部２００が配置できる。また、レンズホルダー４００に配置される第１レンズ部１００と第２レンズ部２００間の空間には液体レンズ部３００が挿入されることができる。
【００４９】
一方、第１レンズ部１００は固体レンズ１１０を含むことができる。固体レンズ１１０はレンズホルダー４００の外部に突出して外部に露出されることができる。固体レンズが露出される場合、外部に露出されることによってレンズの表面が損傷することができる。仮に、レンズ表面が損傷する場合、カメラモジュールで撮影されるイメージの画質が低下することがある。固体レンズ１１０の表面損傷を防止又は抑制するために、カバーガラスを配置させるかコーティング層を形成するか固体レンズ１００を表面損傷を防止するための耐磨耗性素材から構成する方法などを適用することができる。
【００５０】
第２レンズ部２００は第１レンズ部１００及び液体レンズ部３００の後方に配置され、外部から第１レンズ部１００に入射する光は液体レンズ部３００を透過して第２レンズ部２００に入射することができる。第２レンズ部２００は第１レンズ部１００から離隔してレンズホルダー４００に形成される貫通孔に配置できる。
【００５１】
一方、第２レンズ部２００は少なくとも１個のレンズで備えられることができ、２個以上の複数のレンズを含む場合、中心軸ＰＬを基準に整列されて光学系を形成することもできる。
【００５２】
液体レンズ部３００は第１レンズ部１００と第２レンズ部２００の間に配置され、ホルダー４００の挿入口４１０に挿入されることができる。挿入口４１０はホルダーの側面の一部領域が開放して形成されることができる。すなわち、液体レンズはホルダーの側面の挿入口４１０を通して挿入されて配置されることができる。液体レンズ部３００も第１レンズ部１００及び第２レンズ部２０００と同様に中心軸ＰＬを基準に整列されることができる。
【００５３】
液体レンズ部３００にはレンズ領域３１０を含むことができる。レンズ領域３１０は第１レンズ部１００を通過した光が透過する部位であり、少なくとも一部に液体を含むことができる。例えば、レンズ領域３１０には２種、すなわち導電性液体と非導電性液体がともに含まれることができ、導電性液体と非導電性液体は互いに混じらずに境界面を成すことができる。連結部５００を介して印加される駆動電圧によって導電性液体と非導電性液体間の境界面が変形されて液体レンズ３００の界面の曲率又は液体レンズの焦点距離が変更されることができる。このような境界面の変形、曲率の変更が制御されれば、液体レンズ部３００とこれを含むカメラモジュールはオートフォーカシング機能、手ぶれ補正機能などを遂行することができる。
【００５４】
図３は駆動電圧に対応して焦点距離が調整される液体レンズを説明する。具体的に、（ａ）はレンズアセンブリー２２（図２参照）に含まれた第１レンズ２８を説明し、（ｂ）はレンズ２８の等価回路を説明する。
【００５５】
まず（ａ）を参照すると、駆動電圧に対応して焦点距離が調整されるレンズ２８は、同じ角距離を有し、４個の相異なる方向に配置された個別端子Ｌ１、Ｌ２、Ｌ３、Ｌ４を介して電圧を印加されることができる。個別端子は液体レンズの中心軸を基準に同じ角距離で配置されることができ、４個の個別端子を含むことができる。４個の個別端子は液体レンズの４個のコーナーにそれぞれ配置できる。個別端子Ｌ１、Ｌ２、Ｌ３、Ｌ４を介して電圧が印加されれば、印加された電圧は後述する共通端子Ｃ０に印加される電圧との相互作用によって形成される駆動電圧によってレンズ領域３１０に配置された導電性液体と非導電性液体の境界面が変形できる。
【００５６】
また、（ｂ）を参照すると、レンズ２８の一側は相異なる個別端子Ｌ１、Ｌ２、Ｌ３、Ｌ４から動作電圧が印加され、他側は共通端子Ｃ０に連結された複数のキャパシター３０と説明することができる。ここで、等価回路に含まれた複数のキャパシター３０は約数十〜２００ピコファラット（ｐＦ）以下の小さなキャパシタンスを有することができる。液体レンズの上述した液体レンズの端子はこの明細書で電極セクター又はサブ電極と呼ばれることもできる。
【００５７】
図４は液体レンズの構造を説明する。
【００５８】
図示のように、液体レンズ２８は、液体、第１プレート及び電極を含むことができる。液体レンズ２８に含まれる液体１２２、１２４は伝導性液体及び非伝導性液体を含むことができる。第１プレートは伝導性液体及び非伝導性液体が配置されるキャビティ（ｃａｖｉｔｙ）１５０又はホールを含むことができる。キャビティ１５０は傾斜面を含むことができる。電極１３２、１３４は第１プレート１１４上に配置でき、第１プレート１１４の上部又は第１プレート１１４の下部に配置できる。液体レンズ２８は、電極１３２、１３４の上部（下部）に配置可能な第２プレート１１２をさらに含むことができる。また、液体レンズ２８は、電極１３２、１３４の下部（上部）に配置可能な第３プレート１１６をさらに含むことができる。図示のように、液体レンズ２８の一実施例は相異なる２種の液体１２２、１２４が形成する界面１３０を含むことができる。また、液体レンズ２８に電圧を供給する少なくとも１個の基板１４２、１４４を含むことができる。液体レンズ２８の角部（コーナー）は液体レンズ２８の中心部より厚さが薄くなることができる。液体レンズの上面に第２プレートが配置され、液体レンズの下面に第３プレートが配置されることができるが、液体レンズのコーナーの上面又は下面の一部には第２プレート又は第３プレートが配置されないから、液体レンズのコーナーの厚さが中心部より薄くなることができる。液体レンズのコーナーの上面又は下面には電極が露出されることができる。
【００５９】
液体レンズ２８は相異なる２種の液体、例えば伝導性液体１２２と非伝導性液体１２４を含み、２種の液体が形成する界面１３０の曲率や形状は液体レンズ２８に供給される駆動電圧によって調整可能である。液体レンズ２８に供給される駆動電圧は連結部５００を介して伝達されることができる。連結部は第１基板１４２及び第２基板１４４の少なくとも一つを含むことができる。連結部が第１基板１４２及び第２基板１４４を含む場合、第２基板１４４は複数の個別端子のそれぞれに電圧を伝達することができ、第１基板１４２は共通端子に電圧を伝達することができる。複数の個別端子は４個であってもよく、第２基板１４４は４個の個別端子のそれぞれに電圧を伝達することができる。第２基板１４４と第１基板１４２を介して供給される電圧は液体レンズ２８の各角部に配置又は露出される複数の電極１３４、１３２に印加できる。連結部は共通電極に電気的に連結される少なくとも二つの端子を含み、少なくとも二つの端子の一つは共通電極との複数のコンタクト領域を有し、他の一つの端子は共通電極とｍｐ少なくとも１個のコンタクト領域を有し、共通電極の抵抗変化は前記少なくとも二つの端子を介して感知することができる。
【００６０】
一つの端子は共通電極と３個のコンタクト領域を有し、他の一つの端子は共通電極との１個のコンタクト領域を有することができる。
【００６１】
また、液体レンズ２８は、透明な素材を含む第３プレート１１６及び第２プレート１１２、第３プレート１１６及び第２プレート１１２の間に位置し、既設定の傾斜面を有する開口領域を含む第１プレート１１４を含むことができる。
【００６２】
また、液体レンズ２８は、第３プレート１１６、第２プレート１１２及び第１プレート１１４の開口領域によって決定されるキャビティ１５０を含むことができる。ここで、キャビティ１５０は互いに異なる性質（例えば、伝導性液体及び非伝導性液体）の２種の液体１２２、１２４が充填されることができ、互いに異なる性質の２種の液体１２２、１２４の間には界面１３０が形成されることができる。
【００６３】
また、液体レンズ２８に含まれる２種の液体１２２、１２４の少なくとも一つは伝導性を有し、液体レンズ２８は第１プレート１１４の上部及び下部に配置される二つの電極１３２、１３４を含むことができる。第１プレート１１４は傾斜面を含み、傾斜面に配置される絶縁層１１８をさらに含むことができる。伝導性を有する液体は絶縁層に接触することができる。ここで、絶縁層１１８は二つの電極１３２、１３４の１個の電極（例えば、第２電極１３４）を覆い、他の１個の電極（例えば、第１電極１３２）の一部を覆うかあるいは露出させることにより、伝導性液体（例えば、１２２）に電気エネルギーが印加されるようにすることができる。ここで、第１電極１３２は少なくとも一つ以上の電極セクター（例えば、Ｃ０）を含み、第２電極１３４は二つ以上の電極セクター（例えば、図４のＬ１、Ｌ２、Ｌ３、Ｌ４）を含むことができる。例えば、第２電極１３４は光軸を中心に時計方向に順次配置される複数の電極セクターを含むことができる。電極セクターはサブ電極又は液体レンズの端子と呼ばれることができる。
【００６４】
液体レンズ２８に含まれた二つの電極１３２、１３４に電圧を伝達するための一つ又は二つ以上の基板１４２、１４４が連結できる。駆動電圧に対応して液体レンズ２８内に形成される界面１３０の曲率、屈曲又は傾斜度などが変わって液体レンズ２８の焦点距離が調整できる。
【００６５】
図５ａ及び図５ｂは温度変化によって液体レンズにおいてジオプター（ｄｉｏｐｔｒｅ、ｄｉｏｐｔｅｒ）が変わる理由を説明する。具体的に、図５ａは常温での液体レンズを説明し、図５ｂは高温での液体レンズを説明する。
【００６６】
前述したように、第１層１２、中問層１４及び第２層１６によって決定されるキャビティには互いに異なる性質の２種の液体が充填されている。中問層１４は第１プレートと、第１層１２は第２プレートと、そして第２層１６は第３プレートと呼ぶことができる。中問層１４は伝導性液体及び非伝導性液体が配置されるキャビティを含むことができる。液体レンズに充填される液体は温度が高まると膨張する性質を有する（例えば、熱膨張、ｔｈｅｒｍａｌ  ｅｘｐａｎｓｉｏｎ）。
【００６７】
キャビティに充填される２種の液体は電解質（又は伝導性）液体と非電解質（又は非伝導性）液体を含むことができる。液体の熱膨張は固体より大きくてもよい。物質の温度が高くなれば分子の運動が活発になって分子と分子間の間隔が大きくなり、これによって体積が増加することができる。特に、液体を構成する分子が固体を構成する分子より自由に動けるから、温度が変わる程度が同一である場合、液体が固体より熱膨張程度が大きくなることができる。液体レンズに使われる電解質（伝導性）液体に代表的な例として水（Ｈ２Ｏ）を挙げることができる。水の場合、４℃以上では温度が上がれば体積が膨張するが、４℃以下では温度が上がれば体積が減る特徴を持っている。水の熱膨張係数は約１．８（単位：１０−５／℃）程度であると知られている。
【００６８】
図５ａを参照すると、常温でキャビティに充填された２種の液体の体積変化がなければ、第１層１２を通して入射した光はキャビティ内の２種の液体が形成する界面３０による屈折に影響されて第２層１６を通過することができる。この場合、液体レンズに電気エネルギーを印加して界面３０の曲率を変更する方法で液体レンズを所望の方向に制御することができる。
【００６９】
図５ｂを参照すると、高温でキャビティに充填された２種の液体の体積変化によって第１層１２又は第２層１６のふくれ上がる形状が発生することがある。第１層の中心部と周辺領域は中問層１４と接着されていないだけでなく中心部の厚さが薄いから、温度変化によって体積が大きくなる２種の液体に対応して第１層１２がしなることができる。例えば、第１層１２は約２０ｍｍまでふくれ上がることができる。このとき、ジオプター（ｄｉｏｐｔｒｅ、ｄｉｏｐｔｅｒ）の変化量は約４．７であり得る。
【００７０】
一方、温度変化にも第１層１２と第２層１６の厚さと液体と接触する面積によって第２層１６が第１層１２より相対的に少なくふくれ上がるかふくれ上がらないことがある。
【００７１】
複数の電極パターンが配置された中問層１４を第２層１６上に固定した後、絶縁層（図示せず）を形成することにより、複数の電極パターンがキャビティに露出されることを防止することができる。例えば、絶縁層で二つの電極パターンの一つを覆い、他の一つのみを露出させることによってのみキャビティ内に充填された２種の液体の性質が変化することを防止することができるからである。中問層１４と第２層１６上に形成される絶縁層によって両液体が温度変化に対応して熱膨張しても第２層１６が第１層１２に比べて相対的にふくれ上がらず、強度の低い第１層１２が第２層１６に比べて相対的にふくれ上がることができる。
【００７２】
第１層１２がふくれ上がれば、第１層１２を通して入射する光は、電気エネルギーによって曲率が制御される界面３０とは別に、第１層１２で発生した屈曲率によって屈折されることができる。この場合、第１層１２で発生する曲率は液体レンズの設計に反映されていないこともあり、両液体の温度変化による熱膨張率を正確に知っていると言っても第１層１２の曲率は均一に発生しない可能性がある。例えば、第１層１２と中問層１４の接着強度によって強度が最も低い部位からふくれ上がることができる。前述したように、均一に維持されない第１層１２によって温度変化によって液体レンズのジオプター変化が発生することがあり、このようなジオプター変化を正確に予想することが難しいことがある。
【００７３】
図６ａ及び図６ｂは温度変化による液体レンズのジオプター（ｄｉｏｐｔｒｅ、ｄｉｏｐｔｅｒ）変化量を説明する。具体的に、図６ａ及び図６ｂは相異なる動作環境又は動作目的によって既設定の焦点距離を有する液体レンズにおいて温度変化によってジオプターが変化することを追跡した結果である。
【００７４】
図６ａ及び図６ｂを参照すると、液体レンズは印加される駆動電圧のレベルによって違うジオプター値を有することができる。ただ、同じ駆動電圧が印加される状況でも温度変化（約２５℃から４０℃の区間で上昇）によってジオプターの変化量が発生することが分かる。２種の液体レンズの場合から分かるように、通常の温度範囲では温度上昇にジオプター変化量も比例することが分かる。
【００７５】
しかし、液体レンズが極低温又は極高温の動作環境でジオプター変化量は温度変化に比例しないこともある。図５ａ及び図５ｂで説明したように、液体レンズに含まれた２種の液体の熱膨張率に関連することができる。また、液体レンズを構成する透明層の弾性度、結合度などの複合的な要因も温度変化によるジオプターの変化量に影響することができる。よって、温度変化によるジオプターの変化量はレンズキャリブレーション（Ｌｅｎｓ  Ｃａｌｉｂｒａｔｉｏｎ）過程によって測定することができ、このようなデータを制御回路に記憶することができる。
【００７６】
図７ａ及び図７ｂは温度変化による液体レンズの空間周波数応答変化を測定する方法を説明する。具体的に、図７ａは遠距離焦点で空間周波数応答（Ｓｐａｔｉａｌ  Ｆｒｅｑｕｅｎｃｙ  Ｒｅｓｐｏｎｓｅ、ＳＦＲ）を測定するためのチャートを説明し、図７ｂは近距離焦点で空間周波数応答（ＳＲＦ）を測定するためのチャートを説明する。
【００７７】
カメラモジュールは光を外部フィルターを通して受け、イメージセンサーを介してＲＧＢ形態の映像を獲得する。このようなカメラモジュールのセンサーを用いた映像獲得を周波数の側面で見れば、獲得しようとするイメージの空間周波数（Ｓｐａｔｉａｌ  Ｆｒｅｑｕｅｎｃｙ）スペクトラムが２次元平面のｘ軸とｙ軸で繰り返される形態の空間周波数スペクトラムを有することができる。液体レンズの光学的特徴を測定するために、液体レンズと図７ａ又は図７ｂで説明するチャート間の距離を既設定の値に合わせ、液体レンズを用いてチャートのイメージを獲得することができる。
【００７８】
カメラモジュール又は液体レンズの分解能（ｒｅｓｏｌｕｔｉｏｎ）を分析するために、カメラモジュール又は液体レンズの空間周波数応答（Ｓｐａｔｉａｌ  Ｆｒｅｑｕｅｎｃｙ  Ｒｅｓｐｏｎｓｅ、ＳＦＲ）を測定することができる。ここで、空間周波数応答は入力空間周波数とデジタルカメラの応答性の関係を示す指標であり、空間周波数の増加による変調伝達関数（Ｍｏｄｕｌａｔｉｏｎ  Ｔｒａｎｓｆｅｒ  Ｆｕｎｃｔｉｏｎ、ＭＴＦ）の変化として示される。ここで、変調伝達関数（ＭＴＦ）はコントラスト（Ｃｏｎｔｒａｓｔ）の再現比を示し、入力コントラスト（Ｒｉ）に対する出力コントラスト（Ｒｏ）の比（ＭＴＦ＝Ｒｏ／Ｒｉ）で示されることができる。
【００７９】
図７ａ及び図７ｂで説明する解像度チャートの各パターンの空間周波数（Ｓｐａｔｉａｌ  Ｆｒｅｑｕｅｎｃｙ）は既設定の間隔（例えば、１ｍｍ）当たり何個のパターンが繰り返されるかを表示することができる（例えば、単位はｃｙｃｌｅｓ／ｍｍ）。変調伝達関数（ＭＴＦ）によって、レンズを通して投射された解像度チャートが元の解像度チャートに比べて原本をどのくらい再現し出したかを数値で表示することができる。このような方式で得られる空間周波数応答（ＳＦＲ）が０〜１００の数値範囲を有すると仮定すれば、カメラモジュールで要求するレンズの性能に合わせて液体レンズの空間周波数応答（ＳＦＲ）が既設定の数値以上になるときにのみ液体レンズがカメラモジュールに適用可能である。
【００８０】
しかし、図５ａ、図５ｂ、図６ａ及び図６ｂで説明したように、液体レンズは温度変化によって空間周波数応答（ＳＦＲ）が変わるから、液体レンズをカメラモジュールに適用するためには温度変化による補正が必要である。
【００８１】
図８ａ及び図８ｂは温度変化による液体レンズの空間周波数応答（ＳＦＲ）変化を説明する。カメラモジュールに電源が供給されれば、カメラモジュール内に熱を発生させる多くの要素によってカメラモジュールの温度が上昇することができる。ここでは、液体レンズの温度変化が時間が経つにつれて常温（約２３度）から高温（約５０度）まで上昇することを仮定して空間周波数応答（ＳＦＲ）の変化を測定した。
【００８２】
図８ａは液体レンズに供給される駆動電圧を補正せず、液体レンズの温度７２が変化するときに液体レンズの空間周波数応答７４ａが変化することを説明する。時間が経つにつれてカメラモジュール内の温度が上昇することができ、カメラモジュール内の温度上昇は液体レンズの温度を上昇させることができる。図示のように、温度７２が上昇するにつれて、液体レンズの空間周波数応答７４ａは低くなることができる。温度７２が上昇する前（時間０秒）に空間周波数応答７４ａは約６０であったが、３０分余りが経過した後（温度が上昇すれば）、空間周波数応答７４ａは約４５まで低くなることができる。
【００８３】
図８ｂは液体レンズに供給される駆動電圧を約１．４４Ｖだけ低めて供給した場合、温度変化による液体レンズの空間周波数応答（ＳＦＲ）の変化を測定した。例えば、温度に対応する１２ビットのデータに対応して駆動電圧を制御する制御回路で１２ビットのデータの３２コードを減少させて入力することによって駆動電圧を約１．４４Ｖ程度低めることができる。図示のように、液体レンズの温度７２が常温であるとき、空間周波数応答７２ｂは低かったが、温度が上昇するにつれて空間周波数応答（ＳＦＲ）が改善していることを示している。温度７２が上昇する前（時間０秒）に空間周波数応答７４ａは約５５であったが、３０分余りが経過した後（温度が上昇すれば）に空間周波数応答７４ａは約６３まで高くなることができる。
【００８４】
図９は温度変化による液体レンズの補償値決定を説明する。
【００８５】
図示のように、液体レンズの温度変化によって空間周波数応答（ＳＦＲ）が低くなることを補償するために、図８ａ及び図８ｂで説明した二つの場合を結合することができる。すなわち、特定の時点Ａを基準に、より良い空間周波数応答（ＳＦＲ）を提供することができるように駆動電圧を補正しない場合７４ａと駆動電圧を既設定の分だけ（約１．４４Ｖ）調整した場合７４ｂを選択して液体レンズを制御することができる。
【００８６】
ここで、特定の時点Ａは既設定の動作の始点から既設定の時間が経った時点であってもよい。例えば、既設定の時間は約５２０秒であってもよい。すなわち、駆動電圧を補正しない場合７４ａと駆動電圧を既設定の分だけ（約１．４４Ｖ）調整した場合７４ｂの空間周波数応答（ＳＦＲ）が実質的に同じになる特定の時点Ａは初期状態で５２０秒が経った時点である。一方、特定の時点Ａはイメージセンサーの温度が４０〜４５度程度になり、液体レンズの温度がそれに相応する分だけ上昇した時点であってもよい。
【００８７】
実施例によって、既設定の動作の始点は前記イメージセンサー又は前記制御部に電源が印加された時点であってもよい。また、他の実施例で、既設定の動作の始点は制御回路がイメージセンサーを介して獲得したイメージ内の特定の物体に焦点を自動で合わせた時点であってもよい。制御部は液体レンズの共通電極の抵抗変化を感知して前記共通電極と複数の個別電極の間に供給される駆動電圧を制御することができる。制御部は、前記液体レンズの温度が常温から特定の温度だけ上がったとき、駆動電圧を減少させることができる。共通電極の抵抗変化の感知は駆動電圧が共通電極に印加されないようにした状態で、共通電極の抵抗変化を測定することができる。測定される抵抗変化は０より大きくて１０より小さいマイクロオーム（μΩ）又は０より大きくて１０より小さいミリオーム（ｍΩ）の範囲で発生することができ、抵抗変化を感知するための電圧は３〜５Ｖ以下のレベルを有することができる。
【００８８】
一方、既設定の動作の始点を決定することは液体レンズの温度が上昇し始める時点を意味することができる。これは液体レンズを含むカメラモジュールの構造又は形態によって変わることもできる。
【００８９】
特定の時点Ａを基準に、液体レンズに供給される駆動電圧を補正する方法によって液体レンズの空間周波数応答（ＳＦＲ）は温度変化によって既設定の範囲Ｂを有することができる。例えば、空間周波数応答（ＳＦＲ）は約５７〜６４の範囲を有することができる。液体レンズの空間周波数応答（ＳＦＲ）が温度変化によって既設定の範囲Ｂ、すなわち小さな変化を有することができるので、液体レンズを含むカメラモジュールは温度変化にも実質的に均一な分解能（ｒｅｓｏｌｕｔｉｏｎ）を具現することができる。
【００９０】
図１０は温度変化によるジオプターの変化を補償するカメラモジュールを説明する。
【００９１】
図示のように、カメラモジュールは、複数の個別電極に印加される駆動電圧に対応して相異なる２種の液体が形成する界面３０が調節される液体レンズ２８、界面３０に隣接して配置されて温度変化を感知する温度センサー３２、及び温度変化を補償するために駆動電圧のレベルを調整するための制御回路２４を含むことができる。
【００９２】
液体レンズ２８は、界面３０が位置するレンズ領域とレンズ領域を保護するリブ領域とを含むことができる。温度変化によるジオプターの変化を補償するためには、液体レンズ２８の界面３０に隣接した位置に温度センサー３２が配置できる。実施例によって、温度センサー３２はリブ領域に配置できる。
【００９３】
温度センサー３２は界面３０に隣接した位置に配置されて温度変化を測定し、１２ビットの温度データ信号を制御回路２４に出力することができる。ここで、制御回路２４はオプティカルイメージスタビライゼーション（Ｏｐｔｉｃａｌ  Ｉｍａｇｅ  Ｓｔａｂｉｌｉｚｅｒ、ＯＩＳ）のための補償のために駆動電圧を前記複数の個別電極ごとに違って決定することができる。ここで、制御回路２４は温度センサー３２から伝達された温度変化に対応して駆動電圧のレベルを調整することができる。
【００９４】
また、制御回路２４には、カメラモジュールの動きを感知し、動きに対応する感知信号を出力するジャイロ（Ｇｙｒｏ）センサー（図示せず）をさらに含むことができる。オプティカルイメージスタビライゼーション（ＯＩＳ）のための補償のために、制御回路２４は感知信号と温度変化の両者に対応して駆動電圧のレベルを決定することができる。
【００９５】
図示されていないが、カメラモジュールは、液体レンズ２８と制御回路２４を連結して駆動電圧を伝達する連結部（図示せず）をさらに含むことができる。連結部はフレキシブルプリント回路基板（ｆｌｅｘｉｂｌｅ  ｐｒｉｎｔｅｄ  ｃｉｒｃｕｉｔ  ｂｏａｒｄ、ＦＰＣＢ）を用いることができる。フレキシブルプリント回路基板（ＦＰＣＢ）は駆動電圧を伝達する少なくとも１個の配線だけではなく簡単な回路を含むこともできる。実施例によって、温度センサー３２は連結部に配置できる。
【００９６】
また、制御回路２４には、温度変化によるジオプター（ｄｉｏｐｔｒｅ、ｄｉｏｐｔｅｒ）の変化量を記憶する記憶部（図示せず）をさらに含むことができる。制御回路２４は記憶部から温度変化に対応するジオプターの変化量を認知することができる。ここで、記憶部は非揮発性メモリ装置であって、制御回路２４内に含まれるか、制御回路２４と連動する独立的な装置として具現できる。記憶部に記憶される温度変化によるジオプターの変化量はレンズキャリブレーション（Ｌｅｎｓ  Ｃａｌｉｂｒａｔｉｏｎ）によって決定できる。
【００９７】
カメラモジュールは、液体レンズ２８及び液体レンズ２８と中心部が整列された少なくとも１個の固体レンズを含むレンズアセンブリー２２、及びレンズアセンブリー２２を介して伝達された光信号を電気信号に変換するイメージセンサー２６をさらに含むことができる。
【００９８】
イメージセンサー２６がイメージデータを出力することができ、イメージセンサー２６からイメージデータに基づいてプロセッシングシステム又はコンピューティング装置４０は、イメージ処理、補正、明るさ調整などの作業を遂行することができる。ここで、プロセッシングシステム又はコンピューティング装置４０は補正制御のための制御信号又は補正値を制御回路２４に伝達することができる。ここで、プロセッシングシステム又はコンピューティング装置４０はカメラモジュールを含むか、あるいはカメラモジュールと連動する携帯用装置、コンピュータ、車両、サーバーなどに含まれることができる。制御回路２４は補正制御に対応する駆動電圧を生成することができる。
【００９９】
図１１はカメラモジュールを説明する。
【０１００】
図示のように、カメラモジュールは、複数の個別電極に印加される駆動電圧に対応して相異なる２種の液体が形成する界面３０（図３参照）が調節される液体レンズ２８、液体レンズ２８内の温度変化を感知する温度センサー３２、及び温度変化を補償するために駆動電圧のレベルを調整するための制御回路２４を含むことができる。制御回路２４は制御部であってもよい。
【０１０１】
温度センサー３２は液体レンズ２８の温度変化を測定し、１２ビットの温度データ信号を制御回路２４に出力することができる。ここで、制御回路２４はオプティカルイメージスタビライゼーション（Ｏｐｔｉｃａｌ  Ｉｍａｇｅ  Ｓｔａｂｉｌｉｚｅｒ、ＯＩＳ）のための補償のために、駆動電圧を前記複数の個別電極ごとに違って決定することができる。ここで、制御回路２４は温度センサー３２から伝達された温度変化に対応して駆動電圧のレベルを調整することができる。
【０１０２】
また、制御回路２４は、カメラモジュールの動きを感知して動きに対応する感知信号を出力するジャイロ（Ｇｙｒｏ）センサー（図示せず）をさらに含むことができる。オプティカルイメージスタビライゼーション（ＯＩＳ）のための補償のために、制御回路２４は感知信号と温度変化の両者に対応して駆動電圧のレベルを決定することができる。
【０１０３】
図示されていないが、カメラモジュールは液体レンズ２８と制御回路２４を連結して駆動電圧を伝達する連結部（図示せず）をさらに含むことができる。連結部はフレキシブルプリント回路基板（ｆｌｅｘｉｂｌｅ  ｐｒｉｎｔｅｄ  ｃｉｒｃｕｉｔ  ｂｏａｒｄ、ＦＰＣＢ）を用いることができる。フレキシブルプリント回路基板（ＦＰＣＢ）は、駆動電圧を伝達する少なくとも１個の配線だけではなく簡単な回路を含むこともできる。実施例によって、温度センサー３２は連結部に配置できる。
【０１０４】
また、制御回路２４は、温度変化によるジオプター（ｄｉｏｐｔｒｅ、ｄｉｏｐｔｅｒ）の変化量、電圧情報又はコード情報を記憶する記憶部（図示せず）をさらに含むことができる。制御回路２４は記憶部から温度変化に対応する補償されるべき情報を認知することができる。補償されるべき情報はコード値、電圧又はジオプターについての情報であってもよい。ここで、記憶部は非揮発性メモリ装置であって、制御回路２４内に含まれるか、制御回路２４と連動する独立的な装置として具現できる。記憶部に記憶される温度変化によって補償されるべきジオプターの変化量、電圧又はコードはレンズキャリブレーション（Ｌｅｎｓ  Ｃａｌｉｂｒａｔｉｏｎ）によって決定できる。
【０１０５】
カメラモジュールは、液体レンズ２８及び液体レンズ２８と中心部が整列された少なくとも１個の固体レンズを含むレンズアセンブリーを介して伝達された光信号を電気信号に変換するイメージセンサー２６をさらに含むことができる。
【０１０６】
イメージセンサー２６がイメージデータを出力することができ、イメージセンサー２６からのイメージデータに基づき、プロセッシングシステム又はコンピューティング装置４０はイメージ処理、補正、明るさ調整などの作業を遂行することができる。ここで、プロセッシングシステム又はコンピューティング装置４０は補正制御のための制御信号又は補正値を制御回路２４に伝達することができる。ここで、プロセッシングシステム又はコンピューティング装置４０はカメラモジュールを含むか、カメラモジュールと連動する携帯用装置、コンピュータ、車両、サーバーなどに含まれることができる。制御回路２４は補正制御に対応する駆動電圧を生成することができる。
【０１０７】
図１１を参照すると、カメラモジュールは、液体レンズ２８と液体レンズ２８の温度変化を感知するための温度センサー３２、液体レンズ２８を介して伝達された光信号をイメージデータに変換するためのイメージセンサー２６、イメージセンサー２６から伝達されたデータを加工するためのプロセッシングシステム４０及び液体レンズ２８を制御するための制御回路２４を含むことができる。ここで、イメージセンサー２６とプロセッシングシステム４０、プロセッシングシステム４０と制御回路２４はシリアル通信（Ｓｅｒｉａｌ  ｃｏｍｍｕｎｉｃａｔｉｏｎ）を介してデータ及び制御信号を送受信することができる。例えば、シリアル通信のために、同期のためのクロック用線（Ｓｅｒｉａｌ  Ｃｌｏｃｋ、ＳＣＬ）とデータ用線（Ｓｅｒｉａｌ  Ｄａｔａ、ＳＤＡ）などを介して互いに連結できる。
【０１０８】
制御回路２４は、カメラモジュールの動きを感知するためのジャイロセンサー５２、液体レンズ２８に伝達される駆動電圧を生成する駆動回路５４、及びオプティカルイメージスタビライゼーション（ＯＩＳ）のための補償値を決定し、これを駆動回路５４に伝達するオプティカルイメージスタビライゼーション部５６を含むことができる。
【０１０９】
ジャイロセンサー５２とオプティカルイメージスタビライゼーション部５６は直列周辺機器インターフェースバス（Ｓｅｒｉａｌ  Ｐｅｒｉｐｈｅｒａｌ  Ｉｎｔｅｒｆａｃｅ  Ｂｕｓ、ＳＰＩバス）を介して連結できる。ここで、ＳＰＩバスはアキテクチャー全二重（ｆｕｌｌ  ｄｕｐｌｅｘ）通信モードで動作するモトローラアキテクチャーから名前を引用した同期化直列データ連結標準であり、装置はマスタースレーブモードで通信し、ここでマスター装置はデータフレームを初期化し、多くのスレーブ装置は個別スレーブセレクト（チップセレクト）ラインとともに動作することができる。ＳＰＩバスはクロック信号ピン（ＳＣＬＫ、ＳＣＫ／ＣＬＫ）、チップ選択信号ピン（ＣＳ、ＦＳＳ／ＳＳ）、データ入力ピン（ＭＯＳＩ）、データ出力ピン（ＭＩＳＯ）などを含むことができる。
【０１１０】
オプティカルイメージスタビライゼーション部５６は、１２ビットの温度データに基づいて温度によるジオプター変化量を記憶する記憶装置５８から補償すべき情報を認知した後、情報に対応する値が反映されるように駆動回路５４に伝達することができる。補償すべき情報は電圧、コード又はジオプターであってもよい。ここで、記憶装置５８はオプティカルイメージスタビライゼーション部５６に含まれることもでき、独立的に構成されてオプティカルイメージスタビライゼーション部５６と連動することもできる。
【０１１１】
図１２は液体レンズに配置された温度センサーの第１例を説明する。
【０１１２】
図示のように、液体レンズ２８の前面と後面には複数の電極ＬＬ１、ＬＬ２、ＬＬ３、ＬＬ４、ＣＯＭが露出されており、液体レンズ２８の前面に温度センサー３２が配置されている。温度センサー３２は界面が形成可能な中空３１０であるレンズ領域に配置されず、レンズ領域を保護する周辺領域上に配置できる。液体レンズ２８の４角部に位置する複数の電極ＬＬ１、ＬＬ２、ＬＬ３、ＬＬ４、ＣＯＭを介してレンズの界面を制御するための駆動電圧が印加される反面、液体レンズ２８のその外の領域には温度センサー３２に電源ＶＤＤ、ＧＮＤを供給し、温度センサーの感知結果である温度データＴＡＯを出力し、温度センサー３２をオン／オフさせる制御信号Ｔ＿ＯＮを伝達するための導電パターンをさらに含むことができる。
【０１１３】
図示されていないが、実施例によって、温度センサー３２は共通電圧ＣＯＭが印加される液体レンズ２８の後面に配置されることもできる。
【０１１４】
図１３は図１２で説明した温度センサーと連動する制御回路を説明する。
【０１１５】
図示のように、制御回路には、オプティカルイメージスタビライゼーション部５６と駆動回路５４を含むことができる。オプティカルイメージスタビライゼーション部５６は温度センサー３２（図８参照）を活性化させることができる制御信号Ｔ＿ＯＮを出力することができ、温度センサー３２から伝達される温度データＴＡＯを受信することができる。オプティカルイメージスタビライゼーション部５６は温度データに対応する補償値を決定して駆動回路５４に伝達し、駆動回路５４は温度データに対応して駆動電圧ＬＬ１、ＬＬ２、ＬＬ３、ＬＬ４、ＣＯＭを出力することができる。
【０１１６】
図１４は液体レンズの制御方法を説明する。
【０１１７】
図示のように、液体レンズの制御方法は、液体レンズの温度変化を感知する段階６２、温度変化に対応するジオプター（ｄｉｏｐｔｒｅ、ｄｉｏｐｔｅｒ）の変化量を決定する段階６４、及びジオプターの変化量に対応して４個の個別電極に供給される駆動電圧を調整する段階６６を含むことができる。
【０１１８】
ここで、温度変化の感知は液体レンズに隣接した位置に配置された温度センサーによって行われることができ、温度センサーが出力する温度変化は１２ビットデジタル信号から構成されたデータ形態として伝達できる。
【０１１９】
また、ジオプター変化量を決定する段階は、温度変化に対応する信号が伝達されれば、該当温度変化に対応するジオプター変化量を記憶部で検索する段階を含むことができる。記憶部に記憶されたジオプター変化量はレンズキャリブレーションによって測定及び認知された後、不揮発性メモリ装置に記録できる。
【０１２０】
一方、実施例によって、記憶部及びジオプター変化量を決定する過程の少なくとも一部はコンピューティング装置で実行されるプログラム形態又はバッチファイル（ｂａｔｃｈ  ｆｉｌｅ）形態に具現されることもでき、ジオプター変化量はテーブル、リスト形態のコード又はデータとして具現されることもできる。
【０１２１】
図１５ａ〜図１５ｃは液体レンズ内の温度を測定するカメラモジュール内の温度センサーの第２例を説明する。
【０１２２】
図１５ａは駆動回路５４、液体レンズ２８及び温度センサー３２間の連結を説明する。
【０１２３】
図１５ａを参照すると、液体レンズ２８は駆動電圧を供給する駆動回路５４と温度センサー３２に電気的に連結されている。駆動回路５４は液体レンズ２８の４個の個別電極と４個の共通電極に駆動電圧を供給することができる。４個の個別電極には互いに異なる電圧が印加できるが、４個の共通電極には同じ電圧が印加される。
【０１２４】
液体レンズ２８の４個の共通電極の一部と温度センサー３２が電気的に連結できる。温度センサー３２は、液体レンズ２８の内部温度を測定するための方法として、液体レンズ２８の共通電極に形成される抵抗値を用いることができる。
【０１２５】
図１５ｂは液体レンズ２８の温度を測定する方法を説明する等価回路について説明する。
【０１２６】
図１５ｂを参照すると、液体レンズ２８の共通電極に形成される抵抗値を１個の可変抵抗Ｒ−ｌｅｎと仮定する。液体レンズ２８の内部温度が変われば、液体レンズ２８の内部に含まれた液体の温度が変わる。液体の温度が変われば、液体と接触している共通電極の温度も変わることができる。図４を参照すると、共通電極として使われる第１電極１３２は両液体の一つである伝導性液体１２２に露出されている。共通電極の温度が変われば、共通電極間の抵抗値に変化が発生する。例えば、液体レンズ２８の共通電極Ｃ０は薄膜から構成され、数十オーム（Ω）の面抵抗（ｓｈｅｅｔ ｒｅｓｉｓｔａｎｃｅ）を有することができる。共通電極Ｃ０に温度変化が発生すれば、温度変化による抵抗（Ｒ）の変化は次のように説明することができる。
【０１２７】
Ｒ＝Ｒ０（１＋ａｔ）
【０１２８】
ここで、Ｒ０は初期面抵抗、ａは抵抗の温度係数（単位は℃−１）、ｔは温度（単位は℃）である。
【０１２９】
したがって、共通電極間の抵抗値を１個の可変抵抗Ｒ−ｌｅｎとしてモデリングし、温度センサー３２の基準抵抗Ｒ−ｏに対する可変抵抗の比の変化を認知する方法（例えば、電圧分配方式）で液体レンズ２８の温度を知ることができる。また、液体レンズの駆動電圧に比べて非常に小さな電圧（約３〜５Ｖ以下）で１個の可変抵抗Ｒ−ｌｅｎとしてモデリングされる共通電極の抵抗値を測定することができる。
【０１３０】
実施例によって、温度センサー３２内の回路的構成は変わることができる。例えば、液体レンズ２８の微細な温度変化を感知するために温度センサー３２内の電圧分配器の誤差を克服するために、温度センサー３２は複数の抵抗とスイッチ素子をさらに含むことができる。
【０１３１】
図１５ｃは液体レンズ２８の温度変化を感知するためのタイミングを説明する。
【０１３２】
図１５ｃを参照すると、液体レンズ２８の温度変化を感知することは、共通電極Ｃ０（図３参照）に駆動電圧が印加され、個別電極Ｌ１〜Ｌ４（図３参照）にはグラウンド電圧が印加された時点で行われることができる。また、共通電極Ｃ０間の抵抗を感知するために、共通電極Ｃ０に印加される駆動電圧をフローティング（ｆｌｏａｔｉｎｇ）させることができる。
【０１３３】
共通電極Ｃ０と個別電極Ｌ１〜Ｌ４に印加される駆動電圧はパルス形態を有することができ、同じ時点又は相異なる時点に提供されることができる。温度変化を感知するためには、図１５ｂで説明したように、液体レンズ２８内の共通電極間の抵抗Ｒ−ｌｅｎを測定するために、共通電極Ｃ０に印加される駆動電圧をフローティング（ｆｌｏａｔｉｎｇ）させ、既設定の共通電極Ｃ０の一側（他側は温度センサー３２に連結され）で抵抗Ｒ−ｌｅｎを感知するための電圧を供給することができる。
【０１３４】
液体レンズ２８の共通電極Ｃ０に電圧が印加される途中、短時間の間にフローティング（ｆｌｏａｔｉｎｇ）させて温度を測定するための電圧を供給すれば、温度測定のための動作が液体レンズ２８の界面３０（図４参照）に及ぶ影響を最小化することができる。
【０１３５】
図１６ａ〜図１６ｃは液体レンズモジュールの第１例を説明する。
【０１３６】
図１６ａは液体レンズ２８の共通電極１３２を説明する。共通電極１３２は液体レンズ２８の中心に位置するレンズ領域３１０の外側に形成されている。共通電極１３２は薄膜形態に具現されることができ、既設定のパターンを有することもできる。
【０１３７】
図３及び図１６ａを参照すると、共通電極１３２は４角部のコンタクトＣ０ａ、Ｃ０ｂ、Ｃ０ｃ、Ｃ０ｄを介して駆動電圧を受けることができる。個別電極と違い、共通電極１３２の４角部のコンタクトＣ０ａ、Ｃ０ｂ、Ｃ０ｃ、Ｃ０ｄには同じ駆動電圧が同一時点に印加できる。
【０１３８】
図１６ｂは液体レンズ２８の共通電極１３２、４角部のコンタクトＣ０ａ、Ｃ０ｂ、Ｃ０ｃ、Ｃ０ｄを介して駆動電圧を伝達する連結部８２を説明する。連結部８２はフレキシブルプリント回路基板（ＦＰＣＢ）として具現でき、液体レンズ２８の４角部に位置するコンタクトＣ０ａ、Ｃ０ｂ、Ｃ０ｃ、Ｃ０ｄと共通電圧端子Ｃ０が連結されていることが特徴である。また、連結部８２には、共通電極１３２の抵抗を測定するための別途の端子ＴＭ１、ＴＭ２が含まれることができる。
【０１３９】
図１６ｃは液体レンズ２８の共通電極１３２の抵抗Ｒ−ｌｅｎ（図１５ｂ参照）を構成する要素を含む等価回路を説明する。具体的に、第３コンタクトＣ０ｃと第４コンタクトＣ０ｄ間の抵抗の変化を中心に、共通電極１３２の抵抗Ｒ−ｌｅｎを構成する例を挙げて説明する。一方、等価回路の構成は、実施例によって、すなわち抵抗Ｒ−ｌｅｎを測定する互いに異なる二つのコンタクトをどのように選択するかによって変わることができる。
【０１４０】
図１６ｃを参照すると、共通電極１３２の４角部のコンタクトＣ０ａ、Ｃ０ｂ、Ｃ０ｃ、Ｃ０ｄの間には、薄膜形態に具現された共通電極１３２の面抵抗と共通電極１３２と接触している伝導性液体の抵抗Ｒ−ｌｉｑがある。共通電極１３２の面抵抗は隣接した二つのコンタクト間の抵抗、例えば第１コンタクトＣ０ａと第２コンタクトＣ０ｂ間の抵抗Ｒ−ａｂ、第２コンタクトＣ０ｂと第３コンタクトＣ０ｃ間の抵抗Ｒ−ｂｃ、第３コンタクトＣ０ｃと第４コンタクトＣ０ｄ間の抵抗Ｒ−ｃｄ、第４コンタクトＣ０ｄと第１コンタクトＣ０ａ間の抵抗Ｒ−ｄａが含まれることができる。また、共通電極１３２の面抵抗は対角線方向の抵抗（すなわち、第２コンタクトＣ０ｂと第４コンタクトＣ０ｄ間の抵抗）が存在することができる。最後に、共通電極１３２の抵抗Ｒ−ｌｅｎとして伝導性液体は塩のような電解質成分が含まれているから、電流が流れることができ、これにより伝導性液体の抵抗Ｒ−ｌｉｑも含まれることができる。
【０１４１】
共通電極１３２の抵抗Ｒ−ｌｅｎに含まれるそれぞれの抵抗成分の連結関係（直列、並列連結）は図１６ｃのように理解することができる。それぞれの抵抗成分は温度変化によって抵抗値が変わり、これを図１５ｂで説明したような電圧分配器の形態である温度センサー３２を介して測定することができる。
【０１４２】
伝導性液体による抵抗成分Ｒ−ｌｉｑはコンタクトの間に形成される他の抵抗成分Ｒ−ａｂ、Ｒ−ｂｃ、Ｒ−ｃｄ、Ｒ−ｂｄ、Ｒ−ｄａより非常に大きな値である。例えば、伝導性液体による抵抗成分Ｒ−ｌｉｑは約１５０Ω（オーム）程度の抵抗値を有することができる。一方、伝導性薄膜から具現される共通電極１３２のコンタクト間に形成される抵抗成分は数オーム〜数ミリオーム又は数マイクロオームまでの小さな抵抗値を有することができる。伝導性液体による抵抗成分Ｒ−ｌｉｑは他の抵抗成分Ｒ−ａｂ、Ｒ−ｂｃ、Ｒ−ｃｄ、Ｒ−ｂｄ、Ｒ−ｄａに比べて抵抗値の大きさが非常に大きい反面、伝導性液体による抵抗成分Ｒ−ｌｉｑと他の抵抗成分Ｒ−ａｂ、Ｒ−ｂｃ、Ｒ−ｃｄ、Ｒ−ｂｄ、Ｒ−ｄａは実質的に並列で連結されていると理解することができる。二つの抵抗が並列で連結されていれば、二つの抵抗値の和（Ｒ）は各抵抗値（Ｒ１、Ｒ２）の逆数をそれぞれ合わせた値の逆数と同一である（例えば、１／Ｒ＝１／Ｒ１＋１／Ｒ２）。よって、温度によって共通電極１３２の抵抗Ｒ−ｌｅｎの変化が発生しても伝導性液体による抵抗成分Ｒ−ｌｉｑの抵抗値の変化よりは他の抵抗成分Ｒ−ａｂ、Ｒ−ｂｃ、Ｒ−ｃｄ、Ｒ−ｂｄ、Ｒ−ｄａの抵抗値の変化がもっと大きな影響を及ぼす。
【０１４３】
近似値（ａｐｐｒｏｘｉｍａｔｉｏｎ）を介して接近して伝導性液体による抵抗成分Ｒ−ｌｉｑの抵抗値変化を無視するとしても、図１６ａで説明した共通電極１３２、Ｃ０の４角部のコンタクトＣ０ａ、Ｃ０ｂ、Ｃ０ｃ、Ｃ０ｄの間に存在する抵抗成分は比較的複雑である。よって、温度変化による抵抗値の変化を感知するのに難しさがあり得る。したがって、電極１３２、Ｃ０の４角部のコンタクトＣ０ａ、Ｃ０ｂ、Ｃ０ｃ、Ｃ０ｄの間に存在する抵抗成分の数を減らせば、温度変化による抵抗値の変化を感知することがより容易になることができる。
【０１４４】
図１６ｂ及び図１６ｃを参照すると、液体レンズ２８を動作させる場合、共通電圧端子Ｃ０を介して供給される駆動電圧は４角部に位置するコンタクトＣ０ａ、Ｃ０ｂ、Ｃ０ｃ、Ｃ０ｄの全てに伝達される。しかし、液体レンズ２８の温度を測定するうちには共通電圧端子Ｃ０を介して供給される駆動電圧がフローティング（ｆｌｏａｔｉｎｇ）されることができる。ここで、図１６ｃのように、４角部に位置するコンタクトＣ０ａ、Ｃ０ｂ、Ｃ０ｃ、Ｃ０ｄの中で第１〜第３コンタクトＣ０ａ、Ｃ０ｂ、Ｃ０ｃは第１温度端子ＴＭ１に連結され、第４コンタクトＣ０ｄは第２温度端子ＴＭ２に連結されることができる。このような選択的連結ができるようにするためには、連結部８２内の共通電圧端子Ｃ０と第４コンタクトＣ０ｄの間にスイッチ（図示せず）が含まれなければならない。これは、駆動電圧がフローティング（ｆｌｏａｔｉｎｇ）されるときにともにオフ（ＯＦＦ）になって共通電圧端子Ｃ０と第４コンタクトＣ０ｄ間の電気的連結を遮断する必要がある。
【０１４５】
図１７ａ〜図１７ｃは液体レンズモジュールの第２例を説明する。
【０１４６】
図１７ａは液体レンズ２８の共通電極１３２ａを説明する。共通電極１３２は液体レンズ２８の中心に位置するレンズ領域３１０の外側に形成されている。共通電極１３２は薄膜形態に具現されることができ、既設定のパターンを有することもできる。図１６ａで説明した共通電極１３２と図１７ａで説明した共通電極１３２ａの違いはボイド（ｖｏｉｄ）パターン８６である。
【０１４７】
図３及び図１７ａを参照すると、共通電極１３２ａは４角部のコンタクトＣ０ａ、Ｃ０ｂ、Ｃ０ｃ、Ｃ０ｄを介して駆動電圧を受けることができる。個別電極と違い、共通電極１３２ａの４角部のコンタクトＣ０ａ、Ｃ０ｂ、Ｃ０ｃ、Ｃ０ｄには同じ駆動電圧が同一時点に印加できる。共通電極１３２ａに含まれたボイド又はスリットパターン８６は共通電極１３２ａに同じ駆動電圧を印加するのに邪魔にならない。共通電極１３２ａにボイドパターン８６が含まれているが、共通電極１３２ａの全領域が電気的に連結されているからである。
【０１４８】
ただ、ボイドパターン８６は第１コンタクトＣ０ａと第４コンタクトＣ０ｄ間の直接的な電気的連結を遮断することができ、第２コンタクトＣ０ｂと第４コンタクトＣ０ｄ間の直接的な電気的連結を遮断することができる。このために、実施例によって、ボイドパターン８６は共通電極１３２ａを電気的連結の遮断された二つの領域に区分することもでき、第４コンタクトＣ０ｄからレンズ領域３１０を通って第３コンタクトＣ０ｃの周辺まで確張して位置することができる。
【０１４９】
ボイドパターン８６は、共通電極１３２ａが導電性薄膜の形状を持っていても、第３コンタクトＣ０ｃ及び第４コンタクトＣ０ｄの二つのコンタクトが第１コンタクトＣ０ａ及び第２コンタクトＣ０ｂの他の二つのコンタクトに電気的に連結されているが、自由な電荷の動きを制限することができる。ボイドパターン８６は第３コンタクトＣ０ｃ及び第４コンタクトＣ０ｄに平行に配置され、液体レンズ２８のレンズ領域３１０と第３コンタクトＣ０ｃ及び第４コンタクトＣ０ｄ間の領域を物理的に区分することができる。
【０１５０】
図１７ｂは液体レンズ２８の共通電極１３２ａ及び４角部のコンタクトＣ０ａ、Ｃ０ｂ、Ｃ０ｃ、Ｃ０ｄを介して駆動電圧を伝達する連結部８２を説明する。連結部８２はフレキシブルプリント回路基板（ＦＰＣＢ）から具現されることができ、液体レンズ２８の４角部に位置するコンタクトＣ０ａ、Ｃ０ｂ、Ｃ０ｃ、Ｃ０ｄと駆動電圧端子Ｃ０が連結されていることが特徴である。また、連結部８２には共通電極１３２ａの抵抗を測定するための別途の端子ＴＭ１、ＴＭ２が含まれることができる。
【０１５１】
図１７ｃは液体レンズ２８の共通電極１３２ａの抵抗Ｒ−ｌｅｎ（図１１ｂ参照）を構成する要素を含む等価回路を説明する。具体的に、第３コンタクトＣ０ｃと第４コンタクトＣ０ｄ間の抵抗の変化を中心に、共通電極１３２の抵抗Ｒ−ｌｅｎを構成する例を挙げて説明する。一方、等価回路の構成は、実施例によって、すなわち抵抗Ｒ−ｌｅｎを測定する互いに異なる二つのコンタクトをどのように選択するかによって変わることができる。
【０１５２】
図１７ｃを参照すると、共通電極１３２ａの４角部のコンタクトＣ０ａ、Ｃ０ｂ、Ｃ０ｃ、Ｃ０ｄの間には薄膜形態に具現された共通電極１３２ａの面抵抗と共通電極１３２と接触している伝導性液体の抵抗Ｒ−ｌｉｑがある。ただ、図１６ａで説明した共通電極１３２と違い、図１７ａで説明した共通電極１３２ａにはボイドパターン８６によって考慮しなければならない抵抗成分が大きく減ることができる。共通電極１３２の面抵抗は隣接した二つのコンタクト間の抵抗、例えば第１コンタクトＣ０ａと第２コンタクトＣ０ｂ間の抵抗Ｒ−ａｂ、第２コンタクトＣ０ｂと第３コンタクトＣ０ｃ間の抵抗Ｒ−ｂｃ、第３コンタクトＣ０ｃと第４コンタクトＣ０ｄ間の抵抗Ｒ−ｃｄが含まれることができるが、図１６ｃで説明した第４コンタクトＣ０ｄと第１コンタクトＣ０ａ間の抵抗Ｒ−ｄａは、スリット又はボイドパターン８６によって電気的な連結がなくなったので、除去されることができる。連結部は共通電極に電気的に連結される少なくとも二つの端子を含み、一つの端子は前記共通電極と３個のコンタクト領域を有し、他の一つの端子は前記共通電極と１個のコンタクト領域を有し、共通電極は一つの端子の一つのコンタクト領域に隣接して配置されるスリットパターンを含むことができる。また、スリットパターンは一つの端子の前記複数のコンタクト領域の一つのコンタクト領域に隣接して配置できる。
【０１５３】
また、共通電極１３２の面抵抗は対角線方向の抵抗（すなわち、第２コンタクトＣ０ｂと第４コンタクトＣ０ｄ間の抵抗）も、ボイドパターン８６によって電気的な連結がなくなったので、除去されることができる。最後に、共通電極１３２の抵抗Ｒ−ｌｅｎとして伝導性液体は塩のような電解質成分が含まれているので、電流が流れることができ、これにより伝導性液体の抵抗Ｒ−ｌｉｑも含まれることができる。
【０１５４】
前述したように、伝導性液体による抵抗成分Ｒ−ｌｉｑはコンタクトの間に形成される他の抵抗成分Ｒ−ａｂ、Ｒ−ｂｃ、Ｒ−ｃｄ、Ｒ−ｂｄ、Ｒ−ｄａより非常に大きな値である。例えば、伝導性液体による抵抗成分Ｒ−ｌｉｑは約１５０Ω（オーム）程度の抵抗値を有することができる。一方、伝導性薄膜から具現される共通電極１３２のコンタクトの間に形成される抵抗成分は数オーム〜数ミリオーム又は数マイクロオームまでの小さな抵抗値を有することができる。伝導性液体による抵抗成分Ｒ−ｌｉｑは他の抵抗成分Ｒ−ａｂ、Ｒ−ｂｃ、Ｒ−ｃｄ、Ｒ−ｂｄ、Ｒ−ｄａに比べて抵抗値の大きさが非常に大きい反面、伝導性液体による抵抗成分Ｒ−ｌｉｑと他の抵抗成分Ｒ−ａｂ、Ｒ−ｂｃ、Ｒ−ｃｄ、Ｒ−ｂｄ、Ｒ−ｄａは実質的に並列で連結されたものと理解することができる。二つの抵抗が並列で連結されていれば、二つの抵抗値の和（Ｒ）は各抵抗値（Ｒ１、Ｒ２）の逆数をそれぞれ合わせた値の逆数と同一である（例えば、１／Ｒ＝１／Ｒ１＋１／Ｒ２）。したがって、温度によって共通電極１３２の抵抗Ｒ−ｌｅｎの変化が発生しても、伝導性液体による抵抗成分Ｒ−ｌｉｑの抵抗値変化よりは他の抵抗成分Ｒ−ａｂ、Ｒ−ｂｃ、Ｒ−ｃｄ、Ｒ−ｂｄ、Ｒ−ｄａの抵抗値変化がもっと大きな影響を及ぼす。
【０１５５】
近似値（ａｐｐｒｏｘｉｍａｔｉｏｎ）を介して接近して伝導性液体による抵抗成分Ｒ−ｌｉｑの抵抗値変化を無視することができれば、図１７ａで説明した共通電極１３２ａ、Ｃ０の４角部のコンタクトＣ０ａ、Ｃ０ｂ、Ｃ０ｃ、Ｃ０ｄの間に存在する抵抗成分は二つのコンタクトＣ０ｃ、Ｃ０ｄ間の抵抗Ｒ−ｃｄのみ残ることになる。
【０１５６】
共通電極１３２の抵抗Ｒ−ｌｅｎに含まれるそれぞれの抵抗成分の連結関係（直列、並列連結）は図１７ｃのように理解することができる。それぞれの抵抗成分は温度変化によって抵抗値が変わり、これを図１５ｂで説明したような電圧分配器の形態である温度センサー３２を介して測定することができる。図１６ｃと図１７ｃを比較すると、図１７ａで説明したボイドパターン８６によって共通電極１３２の抵抗Ｒ−ｌｅｎを構成する抵抗成分が減ったことが分かる。共通電極１３２の抵抗Ｒ−ｌｅｎを構成する抵抗成分が減ったので、より正確な共通電極１３２の抵抗Ｒ−ｌｅｎを測定することが容易になることができる。
【０１５７】
一方、図１７ｂ及び図１７ｃを参照すると、液体レンズ２８を動作させる場合、共通電圧端子Ｃ０を介して供給される駆動電圧は４角部に位置するコンタクトＣ０ａ、Ｃ０ｂ、Ｃ０ｃ、Ｃ０ｄの全てに伝達される。しかし、液体レンズ２８の温度を測定するうちには共通電圧端子Ｃ０を介して供給される駆動電圧がフローティング（ｆｌｏａｔｉｎｇ）されることができる。ここで、図１６ｃのように４角部に位置するコンタクトＣ０ａ、Ｃ０ｂ、Ｃ０ｃ、Ｃ０ｄの中で第１〜第３コンタクトＣ０ａ、Ｃ０ｂ、Ｃ０ｃは第１温度端子ＴＭ１に連結され、第４コンタクトＣ０ｄは第２温度端子ＴＭ２に連結されることができる。このような選択的連結ができるようにするためには、連結部８２内の共通電圧端子Ｃ０と第４コンタクトＣ０ｄの間にスイッチ（図示せず）が含まれなければならず、これは、駆動電圧がフローティング（ｆｌｏａｔｉｎｇ）されるときにともにオフ（ＯＦＦ）されて共通電圧端子Ｃ０と第４コンタクトＣ０ｄ間の電気的連結を遮断する必要がある。
【０１５８】
前述した液体レンズはカメラモジュールに含まれることができる。カメラモジュールは、ハウジングに実装される液体レンズ及び液体レンズの前面又は後面に配置可能な少なくとも１個の固体レンズを含むレンズアセンブリー、レンズアセンブリーを介して伝達される光信号を電気信号に変換するイメージセンサー、及び液体レンズに駆動電圧を供給するための制御回路を含むことができる。液体レンズは共通電極と複数の個別電極を含み、共通電極上には共通電極と複数のコンタクト領域を形成する第１端子と共通電極と１個のコンタクト領域を形成する第２端子とを含み、共通電極は第２端子とコンタクトする１個のコンタクト領域に隣接して配置されるスリットパターンを含むことができる。ここで、共通電極は複数のコンタクト領域の中で二つのコンタクト領域に隣接して配置されるスリット（溝）パターンを含むことができる。
【０１５９】
上述した実施例による方法はコンピュータで実行されるためのプログラムに製作されてコンピュータ可読の記録媒体に記録されることができ、コンピュータ可読の記録媒体の例としては、ＲＯＭ、ＲＡＭ、ＣＤ−ＲＯＭ、磁気テープ、フロッピーディスク、光データ記憶装置などが含まれる。
【０１６０】
コンピュータ可読の記録媒体はネットワークで連結されたコンピュータシステムに分散され、分散方式でコンピュータが読めるコードが記憶されて実行されることができる。そして、上述した方法を具現するための機能的な（ｆｕｎｃｔｉｏｎ）プログラム、コード及びコードセグメントは実施例が属する技術分野のプログラマーによって容易に推論可能である。
【０１６１】
実施例に関連して、前述したように幾つかのみを記述したが、その外にも多様な形態の実施が可能である。前述した実施例の技術的内容は互いに両立することができない技術ではない限り、多様な形態に組み合わせられることができ、これによって新しい実施形態に具現されることもできる。
【０１６２】
本発明は本発明の精神及び必須特徴から逸脱しない範囲で他の特定の形態に具体化することができることは当業者に明らかである。したがって、前記詳細な説明は全ての面で制限的に解釈されてはならず例示的なものとして考慮されなければならない。本発明の範囲は添付の請求項の合理的解釈によって決定されなければならず、本発明の等価的範囲内の全ての変更は本発明の範囲に含まれる。
【図１】
2020505655.tif 000003
【図２】
2020505655.tif 000004
【図３ａ】
2020505655.tif 000005
【図３ｂ】
2020505655.tif 000006
【図４】
2020505655.tif 000007
【図５ａ】
2020505655.tif 000008
【図５ｂ】
2020505655.tif 000009
【図６ａ】
2020505655.tif 000010
【図６ｂ】
2020505655.tif 000011
【図７ａ】
2020505655.tif 000012
【図７ｂ】
2020505655.tif 000013
【図８ａ】
2020505655.tif 000014
【図８ｂ】
2020505655.tif 000015
【図９】
2020505655.tif 000016
【図１０】
2020505655.tif 000017
【図１１】
2020505655.tif 000018
【図１２】
2020505655.tif 000019
【図１３】
2020505655.tif 000020
【図１４】
2020505655.tif 000021
【図１５ａ】
2020505655.tif 000022
【図１５ｂ】
2020505655.tif 000023
【図１５ｃ】
2020505655.tif 000024
【図１６ａ】
2020505655.tif 000025
【図１６ｂ】
2020505655.tif 000026
【図１６ｃ】
2020505655.tif 000027
【図１７ａ】
2020505655.tif 000028
【図１７ｂ】
2020505655.tif 000029
【図１７ｃ】
2020505655.tif 000030
【手続補正書】
【提出日】令和1年7月25日(2019.7.25)
【手続補正２】
【補正対象書類名】明細書
【補正対象項目名】０００１
【補正方法】変更
【補正の内容】
【０００１】
本発明は液体レンズ、これを含む液体レンズモジュール、これを含むカメラモジュール、これを含む光学機器及び液体レンズの制御方法に関する。より具体的に、本発明は電気エネルギーを用いて焦点距離を調整することができる液体レンズ及びこれを含むカメラモジュールに関する。
【手続補正３】
【補正対象書類名】明細書
【補正対象項目名】００１０
【補正方法】変更
【補正の内容】
【００１０】
本発明の一実施例によるカメラモジュールは、伝導性液体及び非伝導性液体が配置されるキャビティを含む第１プレート、前記第１プレート上に配置される共通電極、前記第１プレートの下に配置される個別電極、前記第１電極上に配置される第２プレート、及び前記第２電極の下に配置される第３プレートを含む液体レンズと、前記液体レンズ及び固体レンズを収容するレンズホルダーと、前記レンズホルダーの下に配置され、イメージセンサーが配置されるセンサー基板と、前記センサー基板上に配置され、前記共通電極及び個別電極に印加される電圧を制御する制御部と、前記個別電極又は共通電極と前記センサー基板を電気的に連結する連結部と、前記連結部に配置される温度センサーとを含み、前記レンズホルダーは前記温度センサーが配置される溝を含むことができる。
【手続補正４】
【補正対象書類名】明細書
【補正対象項目名】００１１
【補正方法】変更
【補正の内容】
【００１１】
また、前記液体レンズは、前記伝導性液体及び非伝導性液体が配置されるレンズ領域と前記レンズ領域を取り囲むリブ領域とを含み、前記温度センサーは前記リブ領域の上部又は下部に配置されることができる。
【手続補正５】
【補正対象書類名】明細書
【補正対象項目名】００１２
【補正方法】変更
【補正の内容】
【００１２】
また、前記連結部は、前記液体レンズに連結される第１端子部と、前記センサー基板に連結される第２端子部とを含み、前記第２端子部は、前記液体レンズに電気的に連結される電圧供給端子及び前記温度センサーに電気的に連結されるセンサー端子を含み、前記センサー基板は、前記電圧供給端子に連結される第１センサー端子及び前記温度センサーに連結される第２センサー端子を含むことができる。
【手続補正６】
【補正対象書類名】明細書
【補正対象項目名】００２０
【補正方法】変更
【補正の内容】
【００２０】
本発明の他の実施例による光学機器は、ハウジングと、前記ハウジングに配置され、映像を出力することができるディスプレイ部と、前記ハウジングに配置され、映像を撮像することができるカメラモジュールとを含み、前記カメラモジュールは、伝導性液体及び非伝導性液体が配置されるキャビティを含む第１プレート、前記第１プレート上に配置される共通電極、前記第１プレートの下に配置される個別電極、前記第１電極上に配置される第２プレート及び前記第２電極の下に配置される第３プレートを含む液体レンズと、前記液体レンズ及び固体レンズを収容するレンズホルダーと、前記レンズホルダーの下に配置され、イメージセンサーが配置されるセンサー基板と、前記センサー基板上に配置され、前記共通電極及び個別電極に印加される電圧を制御する制御部と、前記個別電極又は共通電極と前記センサー基板を電気的に連結する連結部と、前記連結部に配置される温度センサーとを含み、前記レンズホルダーは前記温度センサーが配置される溝を含むことができる。
【手続補正７】
【補正対象書類名】明細書
【補正対象項目名】００２６
【補正方法】変更
【補正の内容】
【００２６】
また、前記一つの端子は前記共通電極との３個のコンタクト領域を有し、他の一つの端子は前記共通電極との１個のコンタクト領域を有することができる。
【手続補正８】
【補正対象書類名】明細書
【補正対象項目名】００２８
【補正方法】変更
【補正の内容】
【００２８】
本発明の他の実施例による液体レンズは、共通電極及び複数の個別電極を含む液体レンズであって、前記共通電極上には、前記共通電極との複数のコンタクト領域を形成する第１端子と、前記共通電極との１個のコンタクト領域を形成する第２端子とを含み、前記共通電極は、前記第２端子とコンタクトする前記１個のコンタクト領域に隣接して配置されるスリットパターンを含むことができる。
【手続補正９】
【補正対象書類名】明細書
【補正対象項目名】００４１
【補正方法】変更
【補正の内容】
【００４１】
図１はカメラ装置（又はカメラモジュール）の例を説明する。
【手続補正１０】
【補正対象書類名】明細書
【補正対象項目名】００４２
【補正方法】変更
【補正の内容】
【００４２】
図示のように、カメラモジュールは、レンズアセンブリー２２及びイメージセンサー２６を含むことができる。レンズアセンブリー２２は印加される電圧に対応して焦点距離が調整される液体レンズを含むことができる。カメラモジュールは、共通端子と複数の個別端子の間に印加される駆動電圧に対応して焦点距離が調整される第１レンズを含めた複数のレンズを含むレンズアセンブリー２２、第１レンズに駆動電圧を供給するための制御回路２４、及びレンズアセンブリー２２に整列され、レンズアセンブリー２２を介して伝達される光を電気信号に変換するイメージセンサー２６を含むことができる。
【手続補正１１】
【補正対象書類名】明細書
【補正対象項目名】００４３
【補正方法】変更
【補正の内容】
【００４３】
図１を参照すると、カメラモジュールは、単一プリント基板（ＰＣＢ）上に形成された複数の回路２４、２６と複数のレンズを含むレンズアセンブリー２２を含むことができるが、これは一例に過ぎないだけ、発明の範囲を限定しない。制御回路２４の構成はカメラモジュールに要求される仕様によって違うように設計されることができる。特に、液体レンズアセンブリー２８に印加される電圧の大きさを減らす場合、制御回路２４は単一チップ（ｓｉｎｇｌｅ  ｃｈｉｐ）から具現することができる。これにより、携帯用装置に搭載されるカメラモジュールの大きさをもっと減らすことができる。
図２はカメラモジュールに含まれたレンズアセンブリー２２の例を説明する。
【手続補正１２】
【補正対象書類名】明細書
【補正対象項目名】００４４
【補正方法】変更
【補正の内容】
【００４４】
図２を参照すると、図示のように、レンズアセンブリー２２は、第１レンズ部１００、第２レンズ部２００、液体レンズ部３００、レンズホルダー４００及び連結部５００を含むことができる。連結部５００はイメージセンサーと液体レンズを電気的に連結し、後述する基板、ワイヤ又は電線などを含むことができる。図示のレンズアセンブリー２２の構造は一例に過ぎず、カメラモジュールに要求される仕様によってレンズアセンブリー２２の構造は変わることができる。例えば、図示の例では液体レンズ部３００が第１レンズ部１００と第２レンズ部１００の間に位置しているが、他の例では液体レンズ部３００が第１レンズ部１００より上部（前面）に位置することもでき、第１レンズ部１００又は第２レンズ部２００の一つは省略されることもできる。制御回路２４の構成はカメラモジュールに要求される仕様によって違って設計できる。特に、レンズアセンブリー２２に印加される動作電圧の大きさを減らす場合、制御回路２４は単一チップ（ｓｉｎｇｌｅ  ｃｈｉｐ）で具現することができる。これにより、携帯用装置に搭載されるカメラ装置の大きさをもっと減らすことができる。
【手続補正１３】
【補正対象書類名】明細書
【補正対象項目名】００４５
【補正方法】削除
【補正の内容】
【手続補正１４】
【補正対象書類名】明細書
【補正対象項目名】００４９
【補正方法】変更
【補正の内容】
【００４９】
一方、第１レンズ部１００は固体レンズ１１０を含むことができる。固体レンズ１１０はレンズホルダー４００の外部に突出して外部に露出されることができる。固体レンズが露出される場合、外部に露出されることによってレンズの表面が損傷することができる。仮に、レンズ表面が損傷する場合、カメラモジュールで撮影されるイメージの画質が低下することがある。固体レンズ１１０の表面損傷を防止又は抑制するために、カバーガラスを配置させるかコーティング層を形成するか固体レンズ１１０を表面損傷を防止するための耐磨耗性素材から構成する方法などを適用することができる。
【手続補正１５】
【補正対象書類名】明細書
【補正対象項目名】００５４
【補正方法】変更
【補正の内容】
【００５４】
図３は駆動電圧に対応して焦点距離が調整される液体レンズを説明する。具体的に、図３ａはレンズアセンブリー２２（図２参照）に含まれた第１レンズ２８を説明し、図３ｂはレンズ２８の等価回路を説明する。
【手続補正１６】
【補正対象書類名】明細書
【補正対象項目名】００５５
【補正方法】変更
【補正の内容】
【００５５】
まず図３ａを参照すると、駆動電圧に対応して焦点距離が調整されるレンズ２８は、同じ角距離を有し、４個の相異なる方向に配置された個別端子Ｌ１、Ｌ２、Ｌ３、Ｌ４を介して電圧を印加されることができる。個別端子は液体レンズの中心軸を基準に同じ角距離で配置されることができ、４個の個別端子を含むことができる。４個の個別端子は液体レンズの４個のコーナーにそれぞれ配置できる。個別端子Ｌ１、Ｌ２、Ｌ３、Ｌ４を介して電圧が印加されれば、印加された電圧は後述する共通端子Ｃ０に印加される電圧との相互作用によって形成される駆動電圧によってレンズ領域３１０に配置された導電性液体と非導電性液体の境界面が変形できる。
【手続補正１７】
【補正対象書類名】明細書
【補正対象項目名】００５６
【補正方法】変更
【補正の内容】
【００５６】
また、図３ｂを参照すると、レンズ２８の一側は相異なる個別端子Ｌ１、Ｌ２、Ｌ３、Ｌ４から動作電圧が印加され、他側は共通端子Ｃ０に連結された複数のキャパシター３０と説明することができる。ここで、等価回路に含まれた複数のキャパシター３０は約数十〜２００ピコファラット（ｐＦ）以下の小さなキャパシタンスを有することができる。液体レンズの上述した液体レンズの端子はこの明細書で電極セクター又はサブ電極と呼ばれることもできる。
【手続補正１８】
【補正対象書類名】明細書
【補正対象項目名】００５９
【補正方法】変更
【補正の内容】
【００５９】
液体レンズ２８は相異なる２種の液体、例えば伝導性液体１２２と非伝導性液体１２４を含み、２種の液体が形成する界面１３０の曲率や形状は液体レンズ２８に供給される駆動電圧によって調整可能である。液体レンズ２８に供給される駆動電圧は連結部５００を介して伝達されることができる。連結部は第１基板１４２及び第２基板１４４の少なくとも一つを含むことができる。連結部が第１基板１４２及び第２基板１４４を含む場合、第２基板１４４は複数の個別端子のそれぞれに電圧を伝達することができ、第１基板１４２は共通端子に電圧を伝達することができる。複数の個別端子は４個であってもよく、第２基板１４４は４個の個別端子のそれぞれに電圧を伝達することができる。第２基板１４４と第１基板１４２を介して供給される電圧は液体レンズ２８の各角部に配置又は露出される複数の電極１３４、１３２に印加できる。連結部は共通電極に電気的に連結される少なくとも二つの端子を含み、少なくとも二つの端子の一つは共通電極との複数のコンタクト領域を有し、他の一つの端子は共通電極との少なくとも１個のコンタクト領域を有し、共通電極の抵抗変化は前記少なくとも二つの端子を介して感知することができる。
【手続補正１９】
【補正対象書類名】明細書
【補正対象項目名】００６０
【補正方法】変更
【補正の内容】
【００６０】
一つの端子は共通電極との３個のコンタクト領域を有し、他の一つの端子は共通電極との１個のコンタクト領域を有することができる。
【手続補正２０】
【補正対象書類名】明細書
【補正対象項目名】００６７
【補正方法】変更
【補正の内容】
【００６７】
キャビティに充填される２種の液体は電解質（又は伝導性）液体と非電解質（又は非伝導性）液体を含むことができる。液体の熱膨張は固体より大きくてもよい。物質の温度が高くなれば分子の運動が活発になって分子と分子間の間隔が大きくなり、これによって体積が増加することができる。特に、液体を構成する分子が固体を構成する分子より自由に動けるから、温度が変わる程度が同一である場合、液体が固体より熱膨張程度が大きくなることができる。液体レンズに使われる電解質（伝導性）液体に代表的な例として水（Ｈ２Ｏ）を挙げることができる。水の場合、４℃以上では温度が上がれば体積が膨張するが、４℃以下では温度が上がれば体積が減る特徴を持っている。水の熱膨張係数は約１．８（単位：１０−５／℃）程度であると知られている。
【手続補正２１】
【補正対象書類名】明細書
【補正対象項目名】００６９
【補正方法】変更
【補正の内容】
【００６９】
図５ｂを参照すると、高温でキャビティに充填された２種の液体の体積変化によって第１層１２又は第２層１６のふくれ上がる形状が発生することがある。第１層１２の中心部と周辺領域は中問層１４と接着されていないだけでなく中心部の厚さが薄いから、温度変化によって体積が大きくなる２種の液体に対応して第１層１２がしなることができる。例えば、第１層１２は約２０ｍｍまでふくれ上がることができる。このとき、ジオプター（ｄｉｏｐｔｒｅ、ｄｉｏｐｔｅｒ）の変化量は約４．７であり得る。
【手続補正２２】
【補正対象書類名】明細書
【補正対象項目名】００７３
【補正方法】変更
【補正の内容】
【００７３】
図６ａ及び図６ｂは温度変化による液体レンズのジオプター（ｄｉｏｐｔｒｅ、ｄｉｏｐｔｅｒ）の変化量を説明する。具体的に、図６ａ及び図６ｂは相異なる動作環境又は動作目的によって既設定の焦点距離を有する液体レンズにおいて温度変化によってジオプターが変化することを追跡した結果である。
【手続補正２３】
【補正対象書類名】明細書
【補正対象項目名】００８３
【補正方法】変更
【補正の内容】
【００８３】
図８ｂは液体レンズに供給される駆動電圧を約１．４４Ｖだけ低めて供給した場合、温度変化による液体レンズの空間周波数応答（ＳＦＲ）の変化を測定した。例えば、温度に対応する１２ビットのデータに対応して駆動電圧を制御することができる制御回路で１２ビットのデータの３２コードを減少させて入力することによって駆動電圧を約１．４４Ｖ程度低めることができる。図示のように、液体レンズの温度７２が常温であるとき、空間周波数応答７２ｂは低かったが、温度が上昇するにつれて空間周波数応答（ＳＦＲ）が改善していることを示している。温度７２が上昇する前（時間０秒）に空間周波数応答７４ａは約５５であったが、３０分余りが経過した後（温度が上昇すれば）に空間周波数応答７４ａは約６３まで高くなることができる。
【手続補正２４】
【補正対象書類名】明細書
【補正対象項目名】００９４
【補正方法】変更
【補正の内容】
【００９４】
また、制御回路２４には、カメラモジュールの動きを感知し、動きに対応する感知信号を出力するジャイロ（Ｇｙｒｏ）センサー５２をさらに含むことができる。オプティカルイメージスタビライゼーション（ＯＩＳ）のための補償のために、制御回路２４は感知信号と温度変化の両者に対応して駆動電圧のレベルを決定することができる。
【手続補正２５】
【補正対象書類名】明細書
【補正対象項目名】０１５２
【補正方法】変更
【補正の内容】
【０１５２】
図１７ｃを参照すると、共通電極１３２ａの４角部のコンタクトＣ０ａ、Ｃ０ｂ、Ｃ０ｃ、Ｃ０ｄの間には薄膜形態に具現された共通電極１３２ａの面抵抗と共通電極１３２と接触している伝導性液体の抵抗Ｒ−ｌｉｑがある。ただ、図１６ａで説明した共通電極１３２と違い、図１７ａで説明した共通電極１３２ａにはボイドパターン８６によって考慮しなければならない抵抗成分が大きく減ることができる。共通電極１３２の面抵抗は隣接した二つのコンタクト間の抵抗、例えば第１コンタクトＣ０ａと第２コンタクトＣ０ｂ間の抵抗Ｒ−ａｂ、第２コンタクトＣ０ｂと第３コンタクトＣ０ｃ間の抵抗Ｒ−ｂｃ、第３コンタクトＣ０ｃと第４コンタクトＣ０ｄ間の抵抗Ｒ−ｃｄが含まれることができるが、図１６ｃで説明した第４コンタクトＣ０ｄと第１コンタクトＣ０ａ間の抵抗Ｒ−ｄａは、スリット又はボイドパターン８６によって電気的な連結がなくなったので、除去されることができる。連結部は共通電極に電気的に連結される少なくとも二つの端子を含み、一つの端子は前記共通電極との３個のコンタクト領域を有し、他の一つの端子は前記共通電極との１個のコンタクト領域を有し、共通電極は一つの端子の一つのコンタクト領域に隣接して配置されるスリットパターンを含むことができる。また、スリットパターンは一つの端子の前記複数のコンタクト領域の一つのコンタクト領域に隣接して配置できる。
【手続補正２６】
【補正対象書類名】明細書
【補正対象項目名】０１５８
【補正方法】変更
【補正の内容】
【０１５８】
前述した液体レンズはカメラモジュールに含まれることができる。カメラモジュールは、ハウジングに実装される液体レンズ及び液体レンズの前面又は後面に配置可能な少なくとも１個の固体レンズを含むレンズアセンブリー、レンズアセンブリーを介して伝達される光信号を電気信号に変換するイメージセンサー、及び液体レンズに駆動電圧を供給するための制御回路を含むことができる。液体レンズは共通電極と複数の個別電極を含み、共通電極上には共通電極との複数のコンタクト領域を形成する第１端子と共通電極との１個のコンタクト領域を形成する第２端子とを含み、共通電極は第２端子とコンタクトする１個のコンタクト領域に隣接して配置されるスリットパターンを含むことができる。ここで、共通電極は複数のコンタクト領域の中で二つのコンタクト領域に隣接して配置されるスリット（溝）パターンを含むことができる。
【手続補正２７】
【補正対象書類名】特許請求の範囲
【補正対象項目名】全文
【補正方法】変更
【補正の内容】
【特許請求の範囲】
【請求項１】
伝導性液体及び非伝導性液体が配置されるキャビティを含む第１プレート、
前記第１プレート上に配置される第１電極、
前記第１プレートの下に配置される第２電極、
前記第１電極上に配置される第２プレート、及び
前記第２電極の下に配置される第３プレートを含む液体レンズと、
前記液体レンズ及び固体レンズを収容するレンズホルダーと、
前記レンズホルダーの下に配置され、イメージセンサーが配置されるセンサー基板と、
前記センサー基板上に配置され、前記第１電極及び前記第２電極に印加される電圧を制御する制御部と、
前記第１電極又は前記第２電極と前記センサー基板を電気的に連結する連結部と、
前記連結部に配置される温度センサーとを含み、
前記レンズホルダーは前記温度センサーが配置される溝を含む、カメラモジュール。
【請求項２】
前記液体レンズは、前記伝導性液体及び非伝導性液体が配置されるレンズ領域と前記レンズ領域を取り囲むリブ領域とを含み、
前記温度センサーは前記リブ領域の上部又は下部に配置される、請求項１に記載のカメラモジュール。
【請求項３】
前記連結部は、
前記液体レンズに連結される第１端子部と、
前記センサー基板に連結される第２端子部とを含み、
前記第２端子部は、前記液体レンズに電気的に連結される電圧供給端子及び前記温度センサーに電気的に連結される第１センサー端子を含み、
前記センサー基板は、前記電圧供給端子に連結される第２センサー端子及び前記温度センサーに連結される第３センサー端子を含む、請求項１又は２に記載のカメラモジュール。
【請求項４】
前記第２電極は複数の個別電極を含み、
前記連結部は、
前記複数の個別電極のそれぞれに電圧を伝達するための第１フレキシブルプリント回路基板と、
前記第１電極をグラウンド電圧に連結するための第２フレキシブルプリント回路基板とを含み、
前記第１フレキシブルプリント回路基板と前記第２フレキシブルプリント回路基板は前記レンズ領域の両側に位置する、請求項２に記載のカメラモジュール。
【請求項５】
前記連結部は前記温度センサーから出力された前記液体レンズの温度変化を前記制御部に伝達し、前記温度センサーを駆動させる駆動電圧及び前記温度センサーを活性化させる活性化信号を前記温度センサーに伝達する、請求項４に記載のカメラモジュール。
【請求項６】
前記温度センサーは前記液体レンズの温度変化を１２ビットデジタル信号として出力する、請求項１〜５のいずれか一項に記載のカメラモジュール。
【請求項７】
前記第２電極は複数の個別電極を含み、
前記制御部は、オプティカルイメージスタビライゼーション（ＯＩＳ）のための補償のために、前記複数の個別電極に印加される電圧を前記複数の個別電極ごとに違って決定することができる、請求項１〜６のいずれか一項に記載のカメラモジュール。
【請求項８】
前記カメラモジュールの動きを感知し、前記動きに対応する感知信号を出力するジャイロ（Ｇｙｒｏ）センサーをさらに含み、
前記制御部は前記感知信号と前記液体レンズの温度変化に対応して前記第１及び第２電極に印加される電圧のレベルを決定する、請求項１〜７のいずれか一項に記載のカメラモジュール。
【請求項９】
前記液体レンズの温度変化によるジオプター（ｄｉｏｐｔｒｅ、ｄｉｏｐｔｅｒ）の変化量を記憶する記憶部をさらに含み、
前記制御部は前記記憶部に記憶されたデータによって前記液体レンズの温度変化に対応する前記ジオプター（ｄｉｏｐｔｒｅ、ｄｉｏｐｔｅｒ）の変化量を認知する、請求項１〜８のいずれか一項に記載のカメラモジュール。
【請求項１０】
２種の液体が形成する界面を調整するために１個の共通電極及び４個の個別電極を含む液体レンズを含むカメラモジュールであって、
前記液体レンズの温度変化を感知する段階と、
前記温度変化に対応するジオプター（ｄｉｏｐｔｒｅ、ｄｉｏｐｔｅｒ）の変化量を決定する段階と、
前記ジオプターの変化量に対応して前記４個の個別電極に供給される電圧を調整する段階とを含む、液体レンズの制御方法。
【請求項１１】
液体レンズと、
前記液体レンズ及び固体レンズを収容するレンズホルダーと、
前記レンズホルダーの下に配置され、イメージセンサーが配置されるセンサー基板と、
前記センサー基板上に配置され、共通電極及び複数の個別電極に印加される電圧を制御する制御部と、
前記複数の個別電極又は前記共通電極と前記センサー基板を電気的に連結する連結部とを含み、
前記液体レンズは、
伝導性液体及び非伝導性液体が配置されるキャビティを含む第１プレートと、
前記第１プレート上に配置される前記共通電極と、
前記第１プレートの下に配置される前記複数の個別電極と、
前記共通電極上に配置される第２プレートと、
前記複数の個別電極の下に配置される第３プレートとを含み、
前記制御部は前記液体レンズの前記共通電極の抵抗変化を感知して前記共通電極と前記複数の個別電極の間に供給される駆動電圧を制御する、カメラモジュール。
【請求項１２】
前記連結部は、前記共通電極と電気的に連結される少なくとも二つの端子を含み、
前記少なくとも二つの端子の一つは前記共通電極との複数のコンタクト領域を有し、他の一つの端子は前記共通電極との少なくとも一つのコンタク領域を有し、
前記共通電極の抵抗変化が前記少なくとも二つの端子を介して感知される、請求項１１に記載のカメラモジュール。
【請求項１３】
前記制御部は、前記液体レンズの温度が常温から特定の温度だけ上がったとき、前記駆動電圧を減少させる、請求項１１又は１２に記載のカメラモジュール。
【請求項１４】
前記制御部は、
前記駆動電圧が前記共通電極に印加されないようにした状態で、前記共通電極の前記抵抗変化を測定して前記共通電極の抵抗変化を感知する、請求項１２又は１３に記載のカメラモジュール。
【請求項１５】
前記抵抗変化は０より大きくて１０より小さいマイクロオーム（μΩ）又は０より大きくて１０より小さいミリオーム（ｍΩ）の範囲で発生し、前記抵抗変化を感知するための電圧は３〜５Ｖ以下のレベルを有する、請求項１３又は１４に記載のカメラモジュール。
【請求項１６】
前記一つの端子は、前記共通電極との３個のコンタク領域を有し、
前記他の一つの端子は前記共通電極との１個のコンタク領域を有する、請求項１２〜１５のいずれか一項に記載のカメラモジュール。
【請求項１７】
前記共通電極は、前記他の一つの端子の前記１個のコンタクト領域に隣接して配置されるスリットパターンを含み、
前記スリットパターンは、前記一つの端子の前記複数のコンタクト領域の一つのコンタクト領域に隣接して配置される、請求項１２〜１５のいずれか一項に記載のカメラモジュール。
【請求項１８】
共通電極及び複数の個別電極を含む液体レンズと、
前記共通電極との複数のコンタクト領域を形成する第１端子と、
前記共通電極との１個のコンタクト領域を形成する第２端子とを含み、
前記共通電極は、前記第２端子とコンタクトする前記１個のコンタクト領域に隣接して配置されるスリットパターンを含む、液体レンズモジュール。
【請求項１９】
前記共通電極は、前記複数のコンタクト領域の二つのコンタクト領域に隣接して配置されるスリット（溝）パターンを含む、請求項１８に記載の液体レンズモジュール。
【請求項２０】
液体レンズと、
前記液体レンズ及び固体レンズを収容するレンズホルダーと、
前記レンズホルダーの下に配置され、イメージセンサーが配置されるセンサー基板と、
前記センサー基板上に配置され、第１電力及び第２電極に印加される電圧を制御する制御部と、
前記第１電極又は第２電極と前記センサー基板を電気的に連結する連結部と、
前記液体レンズに配置される温度センサーとを含み、
前記液体レンズは、
伝導性液体及び非伝導性液体が配置されるキャビティを含む第１プレートと、
前記第１プレート上に配置される前記第１電極と、
前記第１プレートの下に配置される前記第２電極と、
前記第１電極上に配置される第２プレートと、
前記第２電極の下に配置される第３プレートとを含み、
前記液体レンズは、前記伝導性液体及び前記非伝導性液体が配置されるレンズ領域及び前記レンズ領域を取り囲むリブ領域を含み、
前記温度センサーは前記リブ領域に配置される、光学機器。
【手続補正２８】
【補正対象書類名】図面
【補正対象項目名】図１０
【補正方法】変更
【補正の内容】
【図１０】
2020505655.tif 000031
【国際調査報告】
2020505655.tif 000032
2020505655.tif 000033
2020505655.tif 000034
2020505655.tif 000035